(57)【要約】【課題】コンテンツの見易さを損ねることなく、多種多様な処理を行なうことが可能な映像表示システムを提供する。【解決手段】通信端末装置は、複数の処理をそれぞれ特定するための複数の処理特定情報を含む制御テーブルを映像表示装置へ送信する。映像表示装置は、コンテンツを表示し、自装置の動作状態を判定する。映像表示装置は、判定される動作状態が所定状態である場合、受信した制御テーブルに含まれる複数の処理特定情報のうちの少なくとも１つの処理特定情報に基づく制御情報を、通信端末装置へ送信する。通信端末装置は、受信した制御情報に基づく処理を処理実行手段に実行させる制御を行なう。【選択図】図１６
2008177948.tif 000002
【特許請求の範囲】
【請求項１】
通信端末装置と、映像表示装置とを含む映像表示システムであって、
前記通信端末装置は、
制御に応じて、複数の処理の少なくとも１つを行なう処理実行手段と、
前記処理実行手段を制御する制御手段と、
前記複数の処理をそれぞれ特定するための複数の処理特定情報を含む制御テーブルを前記映像表示装置へ送信する第１送信手段とを備え、
前記映像表示装置は、
前記制御テーブルを受信する第１受信手段と、
コンテンツを表示する表示手段と、
自装置の動作状態を判定する状態判定手段と、
前記状態判定手段により判定される動作状態が所定状態である場合、受信した前記制御テーブルに含まれる前記複数の処理特定情報のうちの少なくとも１つの処理特定情報に基づく制御情報を、前記通信端末装置へ送信する第２送信手段とを備え、
前記通信端末装置は、さらに、
前記第２送信手段により送信された前記制御情報を受信する第２受信手段を備え、
前記制御手段は、受信した前記制御情報に基づく処理を前記処理実行手段に実行させる制御を行なう、映像表示システム。
【請求項２】
前記所定状態は、前記表示手段が表示しているコンテンツが、所定の嗜好情報に応じたコンテンツであるという状態である、請求項１に記載の映像表示システム。
【請求項３】
前記所定状態は、所定時刻に前記表示手段に表示されるように予約設定されているコンテンツが存在する状態である、請求項１に記載の映像表示システム。
【請求項４】
前記通信端末装置の前記第１送信手段は、さらに、自装置を識別するための識別情報を、前記映像表示装置へ送信し、
前記制御情報を受信する前記通信端末装置は、前記識別情報により識別された装置である、請求項１に記載の映像表示システム。
【請求項５】
前記第２送信手段は、さらに、音声情報を、前記通信端末装置へ送信し、
前記第２受信手段は、前記音声情報を受信し、
前記処理実行手段は、音声を出力する音声出力手段を含み、
前記制御手段は、受信した前記制御情報に基づいて、前記音声出力手段に、受信した前記音声情報に基づく音声を出力させる制御を行なう、請求項１に記載の映像表示システム。
【請求項６】
前記所定状態は、前記表示手段に表示されているコンテンツに対応する音声が消音された状態である、請求項５に記載の映像表示システム。
【請求項７】
前記処理実行手段は、振動動作を行なう振動手段を含み、
前記制御手段は、受信した前記制御情報に基づいて、前記振動手段に振動動作を行なわせる制御を行なう、請求項１に記載の映像表示システム。
【請求項８】
前記第２送信手段は、さらに、映像情報を、前記通信端末装置へ送信し、
前記第２受信手段は、前記映像情報を受信し、
前記処理実行手段は、画像を表示する表示手段を含み、
前記制御手段は、受信した前記制御情報に基づいて、前記表示手段に、受信した前記映像情報に基づく画像を表示させる制御を行なう、請求項１に記載の映像表示システム。
【請求項９】
前記処理実行手段は、発光する発光手段を含み、
前記制御手段は、受信した前記制御情報に基づいて、前記発光手段に発光させる制御を行なう、請求項１に記載の映像表示システム。
【請求項１０】
前記通信端末装置は携帯電話であり、前記映像表示装置はテレビジョン受信機である、請求項１に記載の映像表示システム。
【発明の詳細な説明】
【技術分野】
【０００１】
本発明は、映像表示システムに関し、特に、コンテンツの表示制御を行なう映像表示システムに関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、携帯電話等の通信端末装置を、ネットワークに接続可能なテレビを操作するためのリモコンとして使用する技術（以下、第１の先行技術ともいう）が開示されている。
【特許文献１】特開２００２−１３５８１０号公報
【発明の開示】
【発明が解決しようとする課題】
【０００５】
携帯電話等の通信端末装置を、テレビ等の映像表示装置のリモコンとして使用することにより、映像表示装置の専用リモコンを使用する必要がなくなる。そのため、ユーザに多くの手間をかけることなく、多種多様なコンテンツを、迅速に映像表示装置に表示させることができる。ここで、多くの手間とは、たとえば、携帯電話と、専用リモコンとを持ちかえるといった手間である。
【０００６】
最近では、映像表示装置に表示されているコンテンツに関連する関連情報を参照できる技術が普及している。たとえば、サッカーの試合の番組のコンテンツを、映像表示装置に表示させているときに、関連情報としてのサッカーの試合の出場選手のプロフィール等を映像表示装置に表示させる場合、従来では、コンテンツの画像サイズを縮小する処理等を行なって、関連情報を表示したりする必要があった。そのため、映像表示装置に表示されているコンテンツの見易さが損ねられるという問題が発生する。このような問題を解決するための技術は、特開２００２−１３５８１０号公報には開示されていない。
【０００７】
本発明は、上述の問題点を解決するためになされたものであって、その目的は、コンテンツの見易さを損ねることなく、多種多様な処理を行なうことが可能な映像表示システムを提供することである。
【課題を解決するための手段】
【０００８】
上述の課題を解決するために、この発明のある局面に従うと、通信端末装置と、映像表示装置とを含む映像表示システムであって、通信端末装置は、制御に応じて、複数の処理の少なくとも１つを行なう処理実行手段と、処理実行手段を制御する制御手段と、複数の処理をそれぞれ特定するための複数の処理特定情報を含む制御テーブルを映像表示装置へ送信する第１送信手段とを備え、映像表示装置は、制御テーブルを受信する第１受信手段と、コンテンツを表示する表示手段と、自装置の動作状態を判定する状態判定手段と、状態判定手段により判定される動作状態が所定状態である場合、受信した制御テーブルに含まれる複数の処理特定情報のうちの少なくとも１つの処理特定情報に基づく制御情報を、通信端末装置へ送信する第２送信手段とを備え、通信端末装置は、さらに、第２送信手段により送信された制御情報を受信する第２受信手段を備え、制御手段は、受信した制御情報に基づく処理を処理実行手段に実行させる制御を行なう。
【０００９】
好ましくは、所定状態は、表示手段が表示しているコンテンツが、所定の嗜好情報に応じたコンテンツであるという状態である。
【００１０】
好ましくは、所定状態は、所定時刻に表示手段に表示されるように予約設定されているコンテンツが存在する状態である。
【００１１】
好ましくは、通信端末装置の第１送信手段は、さらに、自装置を識別するための識別情報を、映像表示装置へ送信し、制御情報を受信する通信端末装置は、識別情報により識別された装置である。
【００１２】
好ましくは、第２送信手段は、さらに、音声情報を、通信端末装置へ送信し、第２受信手段は、音声情報を受信し、処理実行手段は、音声を出力する音声出力手段を含み、制御手段は、受信した制御情報に基づいて、音声出力手段に、受信した音声情報に基づく音声を出力させる制御を行なう。
【００１３】
好ましくは、所定状態は、表示手段に表示されているコンテンツに対応する音声が消音された状態である。
【００１４】
好ましくは、処理実行手段は、振動動作を行なう振動手段を含み、制御手段は、受信した制御情報に基づいて、振動手段に振動動作を行なわせる制御を行なう。
【００１５】
好ましくは、第２送信手段は、さらに、映像情報を、通信端末装置へ送信し、第２受信手段は、映像情報を受信し、処理実行手段は、画像を表示する表示手段を含み、制御手段は、受信した制御情報に基づいて、表示手段に、受信した映像情報に基づく画像を表示させる制御を行なう。
【００１６】
好ましくは、処理実行手段は、発光する発光手段を含み、制御手段は、受信した制御情報に基づいて、発光手段に発光させる制御を行なう。
【００１７】
好ましくは、通信端末装置は携帯電話であり、映像表示装置はテレビジョン受信機である。
【発明の効果】
【００１８】
本発明に係る映像表示システムは、通信端末装置と、映像表示装置とを含む。通信端末装置は、複数の処理をそれぞれ特定するための複数の処理特定情報を含む制御テーブルを映像表示装置へ送信する。映像表示装置は、コンテンツを表示し、自装置の動作状態を判定する。映像表示装置は、判定される動作状態が所定状態である場合、受信した制御テーブルに含まれる複数の処理特定情報のうちの少なくとも１つの処理特定情報に基づく制御情報を、通信端末装置へ送信する。通信端末装置は、受信した制御情報に基づく処理を処理実行手段に実行させる制御を行なう。
【００１９】
したがって、コンテンツを表示している映像表示装置は、自装置の動作状態が所定状態である場合、制御情報を、通信端末装置へ送信する。通信端末装置は、制御情報に基づく処理を処理実行手段に実行させる制御を行なう。したがって、通信端末装置は、映像表示装置の動作状態に応じて、多種多様な処理を行なうことができる。
【００２０】
すなわち、映像表示装置でコンテンツを表示させた状態で、別の装置である通信端末装置で、多種多様な処理を行なうことができる。したがって、コンテンツの見易さを損ねることなく、多種多様な処理を行なうことができるという効果を奏する。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
本発明において取り扱うコンテンツとは、映像、音声、画像などのデジタルデータおよびそれらに関連する関連情報などを意図している。当然のことながら、上記コンテンツと同様の扱い方をされるものであれば、コンテンツはデジタルデータに限定されるものではない。また、コンテンツが、テレビ放送、インターネット放送、携帯電話網などのネットワークを介して提供されるならば、一つのコンテンツが複数のネットワークから提供されることも可能である。
【００２３】
＜第１の実施の形態＞
（システムの構成）
図１は、本実施の形態におけるネットワークシステム１０００の構成を示す図である。図１を参照して、ネットワークシステム１０００には、ホームネットワーク５０１．１，５０１．２，・・・，５０１．ｎが含まれる。以下においては、ホームネットワーク５０１．１，５０１．２，・・・，５０１．ｎ（ｎ：自然数）を総括的に、ホームネットワーク５０１ともいう。
【００２４】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２５】
通信端末装置５００は、携帯電話である。なお、通信端末装置５００は、携帯電話に限定されることなく、通信機能を備え、携帯可能な装置であればどのような装置（たとえば、ＰＤＡ（Personal Digital Assistance）、ＰＣ（Personal Computer））でもよい。
【００２６】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２７】
映像表示装置６００は、テレビジョン受信機である。なお、映像表示装置６００は、テレビジョン受信機の一例として、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＰＣ、ＳＴＢ（Set Top Box）、ＨＤＤ（Hard Disk Drive）レコーダ、ＤＶＤ（Digital Versatile Disc）レコーダ等である。この場合、画像データ送信装置と表示装置の接続方法は特に規定されない。
【００２８】
通信端末装置５００と、映像表示装置６００とは、無線または有線でデータ通信を行なう。すなわち、通信端末装置５００と、映像表示装置６００とを含む映像表示システムが構成される。
【００２９】
通信部５０は、通信端末装置５００、映像表示装置６００およびネットワーク７０の各々と、データ通信を行なう機能を有する。ネットワーク７０は、インターネットなどの外部のネットワークである。
【００３０】
通信部５０は、無線ＬＡＮの規格である、ＩＥＥＥ８０２．１１ｇに基づく無線技術を利用して、複数の機器と同時にデータ通信を行なう機能を有する。なお、無線技術は、ＩＥＥＥ８０２．１１ｇに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００３１】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。
【００３２】
したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３３】
また、ネットワーク７０は、電話網６０と、無線または有線によりデータ通信可能である。したがって、通信端末装置５００は、電話網６０を介して、ネットワーク７０とデータ通信可能である。
【００３４】
ネットワークシステム１０００には、さらに、サービスサーバ８００Ａと、検索サーバ８００Ｓと、Ｗｅｂサーバ８００Ｗとが含まれる。
【００３５】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３６】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。
【００３７】
また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００３８】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３９】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００４０】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００４１】
サービスサーバ８００Ａ、検索サーバ８００ＳおよびＷｅｂサーバ８００Ｗの各々は、ネットワーク７０と、無線または有線でデータ通信を行なう。
【００４２】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００４３】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００４４】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００４５】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００４６】
（通信端末装置）
次に、通信端末装置５００について詳細に説明する。
【００４７】
図２は、通信端末装置５００の外観を正面から示した図である。図２を参照して、通信端末装置５００は、表示部５３０と、音声出力部５７０と、ＬＥＤ５７６と、入力部５４０とを備える。
【００４８】
表示部５３０は、文字や画像等を表示する機能を有する。表示部５３０は、ＬＣＤパネル（Liquid Crystal Display Panel）を使用した装置である。なお、表示部５３０は、上記以外の表示方式のパネルを使用した装置であってもよい。
【００４９】
表示部５３０の解像度は、横４８０（ドット）×縦６４０（ドット）である。なお、表示部５３０の解像度は、横４８０（ドット）×縦６４０（ドット）に限定されることなく、他の解像度であってもよい。
【００５０】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００５１】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００５２】
ＬＥＤ５７６は、通信端末装置５００で行なわれる処理に応じて、光による報知を行なう。たとえば、ＬＥＤ５７６は、電話の着信があった場合、光を点滅させる。
【００５３】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。
【００５４】
具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００５５】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００５６】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００５７】
機能ボタン５４３Ａは、電話をかけるためのボタンである。たとえば、機能ボタン５４３Ａは、後述する数字ボタン群５４６の短押操作により電話番号を入力した後に、短押操作されることで、入力した電話番号の端末装置に電話をかける処理が行なわれる。また、機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５８】
入力部５４０は、さらに、数字ボタン群５４６を含む。数字ボタン群５４６は、１２個の数字ボタンを含む。なお、数字ボタン群５４６に含まれる数字ボタンの数は、１２個に限定されない。１２個の数字ボタンの各々は、短押操作により、数字、文字または記号等を入力するためのボタンである。１２個の数字ボタンの名称は、それぞれ、０ボタン，１ボタン，２ボタン，３ボタン，４ボタン，５ボタン，６ボタン，７ボタン，８ボタン，９ボタン，記号ボタン１、記号ボタン２という。
【００５９】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００６０】
通信端末装置５００は、さらに、音声入力部５７４と、生体情報取得部５７７とを備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００６１】
生体情報取得部５７７は、人間の生体情報を取得する機能を有する。本実施の形態では、生体情報は、人間の体の一部である指紋をデータ化した情報であるとする。この場合、生体情報は、指紋の画像データ、指紋の特徴部分を抽出したデータ等となる。なお、生体情報は、指紋をデータ化した情報に限定されることなく、静脈、網膜、虹彩、顔等をデータ化した情報であってもよい。また、生体情報は、人間が発した声に基づく声紋等であってもよい。
【００６２】
生体情報取得部５７７は、人間の体の一部が接触すると、接触した体の一部をデータ化した生体情報を、後述する制御部５１０へ送信する。
【００６３】
携帯端末装置５００は、さらに、記録媒体挿入部５５０Ａを備える。記録媒体挿入部５５０Ａは、携帯端末装置５００に後述する記録媒体を挿入する部分である。
【００６４】
図３は、通信端末装置５００の外観を背面から示した図である。図３を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００６５】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００６６】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００６７】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００６８】
図４は、通信端末装置５００の内部構成を示したブロック図である。なお、図４には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００６９】
図４を参照して、通信端末装置５００は、さらに、制御部５１０と、一時記憶部５２２と、記憶部５２０とを備える。
【００７０】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００７１】
制御部５１０は、記憶部５２０に記憶されたプログラム１８０に従って、通信端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００７２】
一時記憶部５２２は、制御部５１０によってデータアクセスされ、一時的にデータを記憶するワークメモリとして使用される。一時記憶部５２２は、ＤＲＡＭ（Dynamic Random Access Memory）である。なお、一時記憶部５２２は、ＤＲＡＭに限定されることなく、データを揮発的に記憶可能なその他の回路であってもよい。
【００７３】
通信端末装置５００は、さらに、アンテナ５０２と、チューナ５０５と、データ処理部５０７とを備える。
【００７４】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００７５】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００７６】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００７７】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００７８】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７９】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００８０】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００８１】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００８２】
通信端末装置５００は、さらに、ＶＤＰ５３２と、ＶＲＡＭ（Video Random Access Memory）５３６とを備える。
【００８３】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００８４】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００８５】
通信端末装置５００は、さらに、入力部５４０と、記録媒体アクセス部５５０を備える。
【００８６】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００８７】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００８８】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００８９】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００９０】
記録媒体５５５は、ＳＤ（Secure Digital（登録商標））メモリーカードである。なお、記録媒体５５５は、ＳＤメモリーカード（登録商標）に限定されることなく、データを不揮発的に記録可能なその他の媒体であってもよい。
【００９１】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００９２】
通信部５６０は、ＵＳＢ（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００９３】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００９４】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００９５】
通信部５６２は、制御部５１０と、データの送受信を行なう。通信部５６２は、無線ＬＡＮの規格である、ＩＥＥＥ８０２．１１ｇに基づく無線技術を利用してデータ通信を行なう機能を有する。なお、無線技術は、ＩＥＥＥ８０２．１１ｇに基づく技術に限定されることはなく、その他の無線技術であってもよい。したがって、通信部５６２は、無線により、通信部５０とデータ通信を行なうことができる。
【００９６】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００９７】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００９８】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００９９】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【０１００】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【０１０１】
携帯端末装置５００は、制御部５１０および通信部５６６の処理により、電話網６０を介して、ネットワーク７０からプログラムのダウンロード処理を行ない、記憶部５２０に格納することもできる。この場合、当該ダウンロードしたプログラムは、プログラム１８０である。
【０１０２】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【０１０３】
制御部５１０は、前述した音声出力部５７０，５７２、音声入力部５７４とデータ通信する。
【０１０４】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【０１０５】
ユーザが音声入力部５７４に含まれるマイクに対して音声を発すると、音声入力部５７４は、マイクにより取得した音声を音声データに変換して、音声データを、制御部５１０へ送信する。
【０１０６】
制御部５１０は、前述したＬＥＤ５７６、撮像部５７８および生体情報取得部５７７の各々とデータ通信する。ＬＥＤ５７６は、制御部５１０からの制御指示に基づいて、光を発する。
【０１０７】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１０８】
生体情報取得部５７７は、生体情報を取得すると、取得した生体情報（たとえば、指紋情報）を、制御部５１０へ送信する。
【０１０９】
通信端末装置５００は、さらに、振動部５７９を備える。振動部５７９は、制御部５１０からの制御指示に基づいて、振動部５７９自身が振動することにより、通信端末装置５００を振動させる機能を有する。振動部５７９は、たとえば、電話の着信、電子メールの受信時に、制御部５１０からの制御指示に基づいて、通信端末装置５００を振動させる。
【０１１０】
通信端末装置５００は、さらに、ＲＦＩＤ（Radio Frequency Identification）５８０を備える。ＲＦＩＤ５８０は、たとえば、FeliCa（登録商標）などのセキュリティ機能をもったＲＦＩＤに基づく集積回路で、非接触で図示しない読み取り端末と通信を行う。また、ＲＦＩＤ５８０は、制御部５１０からの制御指示に基づいて、端末ＩＤなどのデータを出力する。
【０１１１】
（映像表示装置）
次に、映像表示装置６００について詳細に説明する。
【０１１２】
図５は、映像表示装置６００の内部構成を示したブロック図である。なお、図５には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１１３】
図５を参照して、映像表示装置６００は、表示部６３０と、音声出力部６７０とを備える。表示部６３０は、文字や画像等を表示する機能を有する。表示部６３０は、ＬＣＤパネル（Liquid Crystal Display Panel）を使用した装置である。なお、表示部５３０は、上記以外の表示方式のパネルを使用した装置であってもよい。
【０１１４】
表示部６３０が表示可能な画像のサイズは、表示部５３０が表示可能な画像のサイズより大きい。また、表示部６３０の解像度は、表示部５３０の解像度より大きい。たとえば、表示部６３０の解像度は、横１３６６（ドット）×縦７６８（ドット）の解像度である。なお、表示部６３０の解像度は、横１３６６（ドット）×縦７６８（ドット）に限定されることなく、他の解像度であってもよい。
【０１１５】
音声出力部６７０は、映像表示装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１１６】
映像表示装置６００は、さらに、制御部６１０と、一時記憶部６２２と、記憶部６２０とを備える。
【０１１７】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤ、その他の各種データ等が記憶されている。
【０１１８】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１１９】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１２０】
映像表示装置６００は、さらに、アンテナ６０２と、チューナ６０５と、データ処理部６０７とを備える。
【０１２１】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１２２】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１２３】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１２４】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１２５】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、Ｈ．２６４等の形式である。
【０１２６】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、Ｈ．２６４等の形式である。
【０１２７】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１２８】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１２９】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１３０】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１３１】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１３２】
映像表示装置６００は、さらに、ＶＤＰ６３２と、ＶＲＡＭ６３６とを備える。
ＶＲＡＭ６３６は、画像データを一時的に記憶する機能を有する。
【０１３３】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１３４】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１３５】
映像表示装置６００は、さらに、入力部６４０と、記録媒体アクセス部６５０とを備える。
【０１３６】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１３７】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１３８】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１３９】
記録媒体５５５Ａは、ＳＤメモリーカード（登録商標）である。なお、記録媒体５５５は、ＳＤメモリーカード（登録商標）に限定されることなく、データを不揮発的に記録可能なその他の媒体、たとえば、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＣＤ−ＲＯＭ（Compact Disk Read Only Memory）、等であってもよい。
【０１４０】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１４１】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１４２】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１４３】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１４４】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１４５】
なお、前述した通信端末装置５００がリモコン３００の機能を有することも想定でき、通信端末装置５００、リモコン３００は、２つが存在する場合、および一方のみしか存在しない場合なども想定できる。
【０１４６】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１４７】
（サービスサーバ、検索サーバおよびＷｅｂサーバ）
図６は、サービスサーバ８００Ａの内部構成を示したブロック図である。図６を参照して、サービスサーバ８００Ａは、表示部８３０と、制御部８１０と、一時記憶部８２２と、記憶部８２０とを備える。
【０１４８】
表示部８３０は、文字や画像等を表示する機能を有する。表示部８３０は、前述の表示部６３０と同様なものであるので詳細な説明は繰り返さない。
【０１４９】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１５０】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１５１】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１５２】
サービスサーバ８００Ａは、さらに、ＶＤＰ８３２と、ＶＲＡＭ８３６とを備える。
ＶＲＡＭ８３６は、画像データを一時的に記憶する機能を有する。
【０１５３】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１５４】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１５５】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１５６】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１５７】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１５８】
なお、検索サーバ８００ＳおよびＷｅｂサーバ８００Ｗの各々も、前述したサービスサーバ８００Ａと同様な構成を有するので詳細な説明は繰り返さない。
【０１５９】
（リモコン）
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１６０】
図７は、一例としてのリモコン画像ＭＧ１００を示す図である。図７を参照して、リモコン画像ＭＧ１００には、ボタン画像ＭＢＧ１１０，ＭＢＧ１２０，ＭＢＧ１３０が配置される。
【０１６１】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１６２】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１６３】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１６４】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１６５】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１６６】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１６７】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１６８】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。なお、チャンネルプラスリモコン信号は、ＴＶ画像のチャンネル番号を、１インクリメントさせるためのリモコン信号であってもよい。
【０１６９】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。なお、チャンネルマイナスリモコン信号は、ＴＶ画像のチャンネル番号を、１デクリメントさせるためのリモコン信号であってもよい。
【０１７０】
リモコン画像ＭＧ１００には、さらに、ボタン画像ＭＢＧ１８０が配置される。ボタン画像ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１７１】
以下においては、通信端末装置５００が、映像表示装置６００へリモコン信号を送信することで映像表示装置６００を操作可能な場合における、通信端末装置５００の動作モードを、リモコンモードともいう。
【０１７２】
なお、リモコンモードの通信端末装置５００において、数字ボタン群５４６に含まれる１２個の数字ボタンのいずれかが短押操作された場合、制御部５１０は、押下された数字ボタンに対応するリモコン信号を出力する。
【０１７３】
（事前登録）
次に、映像表示装置６００が、サービスサイトに登録する処理（以下、登録処理ともいう）について説明する。サービスサイトは、サービスを提供するＷｅｂサイトある。ここで、サービスサイトが提供するサービスは、たとえば、コンテンツの配信である。配信されるコンテンツは、たとえば、動画像データ、ニュース等の情報である。ここで、サービスサイトは、サービスサーバ８００Ａが提供するサイトであるとする。サービスサイトが提供するデータは、サービスサーバ８００Ａの記憶部８２０に記憶されている。
【０１７４】
映像表示装置６００は、サービスサイトに登録することで、サービスサイトから、様々なサービスを享受することが可能となる。サービスサイトは、サービスサーバ８００Ａが提供するＷｅｂサイトであるので、サービスサーバ８００Ａが提供するサービスサイトに登録することは、サービスサーバ８００Ａに対し登録することになる。
【０１７５】
前述のプログラム１８０Ａには、さらに、サービスサイトにアクセスするためのＷｅｂブラウザを表示部６３０に表示するためのＷｅｂブラウザプログラムが含まれる。以下の登録処理は、リモコンモードの通信端末装置５００におけるインターフェース操作Ｍにより、制御部６１０がプログラム１８０ＡのＷｅｂブラウザプログラムを実行した状態で行なわれるとする。これにより、表示部６３０には、以下のＷｅｂブラウザ画像Ｇ２００が表示されているとする。
【０１７６】
図８は、一例としてのＷｅｂブラウザ画像Ｇ２００を示す図である。図８を参照して、Ｗｅｂブラウザ画像Ｇ２００には、ＵＲＬ表示画像Ｇ２１０と、Ｗｅｂページ画像Ｇ２２０と、ボタン画像ＢＧ２８１とが配置される。
【０１７７】
ＵＲＬ表示画像Ｇ２１０には、リモコンモードの通信端末装置５００におけるインターフェース操作Ｍにより、サービスサイトに登録するためのＷｅｂページのＵＲＬが入力されている。
【０１７８】
Ｗｅｂページ画像Ｇ２２０は、サービスサーバ８００Ａの提供するサービスサイト内にあるＷｅｂページである。Ｗｅｂページ画像Ｇ２２０は、サービスサイトに登録するためのＷｅｂページを表示した画像である。Ｗｅｂページ画像Ｇ２２０には、リモコンモードの通信端末装置５００におけるインターフェース操作Ｍにより、サービスサイトの登録に必要な情報が入力されている。サービスサイトの登録に必要な情報は、たとえば、名前、メールアドレス、性別等の情報である。
【０１７９】
なお、嗜好キーワードとは、ユーザの嗜好に応じたキーワードである。すなわち、嗜好キーワードは、嗜好情報である。なお、嗜好キーワードの入力は任意であるとする。Ｗｅｂページ画像ＭＧ２２０では、嗜好キーワードの一例として、「サッカー」、「野球」、「お笑い」というキーワードが入力されている。なお、嗜好キーワードは、３つに限定されることはない。
【０１８０】
Ｗｅｂページ画像Ｇ２２０には、ボタン画像ＢＧ２８５が配置されている。ボタン画像ＢＧ２８５は、押下処理されることにより、サービスサイトに登録する処理を許可するためのボタン画像である。ボタン画像ＢＧ２８５の押下処理は、リモコンモードの通信端末装置５００において、ボタン画像ＢＧ２８５を押下処理するためのインターフェース操作Ｍがあった場合に行なわれる。
【０１８１】
ボタン画像ＢＧ２８１は、押下処理されることにより、Ｗｅｂブラウザ画像Ｇ２００内に、現在、表示されているＷｅｂページ画像Ｇ２２０の前に、Ｗｅｂブラウザ画像Ｇ２００に表示されていたＷｅｂページ画像（以下、旧Ｗｅｂページ画像ともいう）が存在する場合、旧Ｗｅｂページ画像をＷｅｂブラウザ画像Ｇ２００に表示させるためのボタン画像である。ボタン画像ＢＧ２８１の押下処理は、リモコンモードの通信端末装置５００において、ボタン画像ＢＧ２８１を押下処理するためのインターフェース操作Ｍがあった場合に行なわれる。
【０１８２】
図９は、登録処理のフローチャートである。図９では、映像表示装置６００およびサービスサーバ８００Ａの各々において行なわれる処理を示す。図９を参照して、映像表示装置６００では、まず、ステップＳ１１０の処理が行なわれる。
【０１８３】
ステップＳ１１０では、制御部６１０が、登録許可操作があるか否かを判定する。登録許可操作とは、表示部６３０にＷｅｂブラウザ画像Ｇ２００が表示されている状態で、ボタン画像ＢＧ２８５を押下処理する操作である。リモコンモードの通信端末装置５００において、ボタン画像ＢＧ２８５を押下処理するためのインターフェース操作Ｍがあった場合、ボタン画像ＢＧ２８５を押下処理するためのリモコン信号が映像表示装置６００へ送信され、制御部６１０は、当該リモコン信号を受信する。この場合、制御部６１０は、ボタン画像ＢＧ２８５を押下処理し、登録許可操作があったと判定する。
【０１８４】
ステップＳ１１０において、ＹＥＳならば、ステップＳ１１１に進む。一方、ステップＳ１１０において、ＮＯならば、再度、ステップＳ１１０の処理が行なわれる。
【０１８５】
ステップＳ１１１では、制御部６１０が、Ｗｅｂブラウザ画像Ｇ２００に入力された情報を、ユーザデータとして、記憶部６２０に記憶させる。これにより、記憶部６２０には、以下のユーザデータＴＤ５０が記憶されるとする。そして、ステップＳ１１１の処理は終了する。
【０１８６】
図１０は、一例としてのユーザデータＴＤ５０を示す図である。図１０を参照して、ユーザデータＴＤ５０において、「装置ＩＤ」とは、装置を識別するための情報である。ユーザデータＴＤ５０に示される「装置ＩＤ」は、映像表示装置６００を操作している通信端末装置５００の装置ＩＤである。通信端末装置５００の装置ＩＤは、たとえば、電話番号であるとする。なお、装置ＩＤは、電話番号以外のものであってもよい。
【０１８７】
再び、図９を参照して、ステップＳ１１１の処理の後、ステップＳ１１２に進む。
ステップＳ１１２では、制御部６１０が、登録データを、サービスサーバ８００Ａへ送信する。登録データは、図１０のユーザデータＴＤ５０と、登録する映像表示装置６００の装置ＩＤとを含むデータである。ここで、映像表示装置６００の装置ＩＤは、一例として、“１１ＴＡ”であるとする。その後、ステップＳ１１２の処理は終了する。
【０１８８】
サービスサーバ８００Ａでは、まず、ステップＳ１２０の処理が行なわれる。
ステップＳ１２０では、制御部８１０が、登録データを受信したか否かを判定する。ステップＳ１２０において、ＹＥＳならば、ステップＳ１２１に進む。一方、ステップＳ１２０において、ＮＯならば、再度、ステップＳ１２０の処理が行なわれる。ここでは、ユーザデータＴＤ５０と、装置ＩＤ“１１ＴＡ”とを含む登録データを受信したとして、ステップＳ１２１に進む。
【０１８９】
ステップＳ１２１では、制御部８１０が、受信した登録データを、記憶部８２０に記憶させる。この処理により、記憶部８２０には、ユーザデータＴＤ５０と、装置ＩＤ“１１ＴＡ”とを含む登録データが記憶されるとする。そして、ステップＳ１２２に進む。
【０１９０】
ステップＳ１２２では、制御部８１０が、ユーザ識別情報を、映像表示装置６００へ送信する。ユーザ識別情報は、映像表示装置６００を特定するための識別情報である。ユーザ識別情報は、たとえば、クッキーである。ステップＳ１２２の処理が終了すると、再度、ステップＳ１２０の処理が行なわれる。
【０１９１】
映像表示装置６００では、ステップＳ１１２の処理が終了すると、ステップＳ１１４に進む。
【０１９２】
ステップＳ１１４では、制御部６１０が、サービスサーバ８００Ａから送信されたユーザ識別情報を受信する。その後、ステップＳ１１６に進む。
【０１９３】
ステップＳ１１６では、制御部６１０が、受信したユーザ識別情報を、登録したサービスサイトのＵＲＬに対応づけて記憶部６２０に記憶させる。以上により、映像表示装置６００での処理は終了する。
【０１９４】
映像表示装置６００が、複数種類のサービスサイトに対し、前述した登録処理を行なうことで、記憶部６２０には、以下のユーザ識別情報登録テーブルＤ１００が記憶される。
【０１９５】
図１１は、一例としてユーザ識別情報登録テーブルＤ１００を示す図である。図１１を参照して、ユーザ識別情報登録テーブルＤ１００は、複数のユーザ識別情報登録データから構成される。「番号」とは、複数のユーザ識別情報登録データの各々を特定するための番号である。「サイト名」とは、登録したサービスサイトの名称である。「ＵＲＬ」とは、登録したサービスサイトのＵＲＬである。「ユーザ識別情報」とは、登録したサービスサイトから受信したユーザ識別情報（たとえば、クッキー）である。
【０１９６】
（データ通信）
次に、リモコンモードの通信端末装置５００で行なわれる処理（以下、操作判定処理Ｍともいう）と、通信端末装置５００から送信されるリモコン信号を受信した場合に映像表示装置６００で行なわれる処理（以下、制御信号対応処理Ｔともいう）について説明する。
【０１９７】
図１２は、操作判定処理Ｍおよび制御信号対応処理Ｔのフローチャートである。図１２を参照して、通信端末装置５００が行なう操作判定処理Ｍでは、まず、ステップＳ１０の処理が行なわれる。
【０１９８】
ステップＳ１０では、制御部５１０が、制御操作があるか否かを判定する。ここで、制御操作は、表示部５３０に対するタッチ操作、または、通信端末装置５００の外部に設けられた複数の外部ボタンのいずれかの押下操作である。
【０１９９】
複数の外部ボタンは、方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂ、数字ボタン群５４６に含まれる１２個の数字ボタンである。ステップＳ１０において、ＹＥＳならば、ステップＳ１２に進む。一方、ステップＳ１０において、ＮＯならば、再度、ステップＳ１０の処理が行なわれる。
【０２００】
ステップＳ１２では、制御部５１０が、通信部５６０を利用して、制御操作に対応する、映像表示装置６００を操作するための制御信号としてのリモコン信号を、映像表示装置６００へ送信する。ステップＳ１２の処理が終了すると、再度、ステップＳ１０の処理が行なわれる。
【０２０１】
映像表示装置６００が行なう制御信号対応処理Ｔでは、まず、ステップＳ２０の処理が行なわれる。
【０２０２】
ステップＳ２０では、制御部６１０が、制御信号としてのリモコン信号を受信したか否かを判定する。ステップＳ２０において、ＹＥＳならば、ステップＳ２２に進む。一方、ステップＳ２０において、ＮＯならば、再度、ステップＳ２０の処理が行なわれる。
【０２０３】
ステップＳ２２では、制御信号対応処理が行なわれる。制御信号対応処理では、制御部６１０が、受信したリモコン信号に応じた処理を行なう。ステップＳ２２の処理が終了すると、再度、ステップＳ２０の処理が行なわれる。
【０２０４】
（制御テーブルの送信）
次に、通信端末装置５００が、他の装置が自装置（通信端末装置５００）を制御するための情報を含む制御テーブルを、映像表示装置６００へ送信するための処理（以下、制御テーブル送信処理ともいう）について説明する。送信される制御テーブルは、以下の制御テーブルＭＤ２００であるとする。制御テーブルＭＤ２００は、記憶部５２０に記憶されているとする。
【０２０５】
図１３は、一例としての制御テーブルＭＤ２００を示す図である。図１３を参照して、制御テーブルＭＤ２００において、「装置ＩＤ」とは、装置を識別するための情報である。通信端末装置５００の装置ＩＤは、たとえば、電話番号であるとする。なお、装置ＩＤは、電話番号以外のものであってもよい。「リモコンモード」の項目の「オン」は、通信端末装置５００が、リモコンモードに設定されていることを示す。なお、「リモコンモード」の項目が、「オフ」の場合、通信端末装置５００が、リモコンモードに設定されていないことを示す。
【０２０６】
「処理」とは、通信端末装置５００が実行可能な処理を示す。以下においては、「処理」の項目に記載されている情報は、処理を特定するための処理特定情報である。「処理」の項目の「メロディ１〜２５」とは、音声出力部５７２により２５種類のメロディを鳴らす処理を示す。なお、メロディは、２５種類に限定されることはない。以下の「処理」の項目についても同様に、１〜ｍ（自然数）と記載している場合、ｍ種類に限定されることはない。
【０２０７】
「処理」の項目の「音楽１〜２０」とは、音声出力部５７２により２０種類の音楽を鳴らす処理を示す。「処理」の項目の「バイブ１〜５」とは、振動部５７９が５種類の振動パターンで振動する処理を示す。
【０２０８】
「処理」の項目の「赤発光１〜２」とは、ＬＥＤ５７６が２種類の赤の発光パターンを行なう処理を示す。「処理」の項目の「青発光１〜３」とは、ＬＥＤ５７６が３種類の青の発光パターンを行なう処理を示す。「処理」の項目の「スピーカー」とは、音声出力部５７０により音声を出力する処理を示す。なお、「処理」の項目の「スピーカー」とは、音声出力部５７２により音声を出力する処理であってもよい。
【０２０９】
「処理」の項目の「カメラ１（静止画）」とは、撮像部５７８の撮像処理により静止画像データを取得する処理を示す。「処理」の項目の「カメラ２（動画）」とは、撮像部５７８の撮像処理により動画像データを取得する処理を示す。「処理」の項目の「カメラ３（バーコード）」とは、撮像部５７８の撮像処理によりバーコード（たとえば、ＱＲ（Quick Response）コード（登録商標））を取得する処理を示す。「処理」の項目の「カメラ４（顔認証）」とは、撮像部５７８の撮像処理により取得した顔の画像により認証を行なう処理を示す。
【０２１０】
「処理」の項目の「指紋認証」とは、生体情報取得部５７７の動作により取得した指紋情報により認証を行なう処理を示す。「処理」の項目の「電子マネー」とは、ＲＦＩＤ５８０により電子マネーを使用する処理を示す。「処理」の項目の「テロップ表示」とは、表示部５３０により文字、画像等をテロップ表示する処理を示す。
【０２１１】
なお、前述の各種処理を通信端末装置５００に実行させるためのデータは、予め記憶部５２０に記憶されている。
【０２１２】
「制御番号」とは、前述した各種処理を特定するための番号である。「状態」とは、対応する「処理」が、通信端末装置５００で実行することが許可されているか否かを示す。各処理に対応する「状態」の項目は、通信端末装置５００において、アプリケーションプログラム等により、ユーザが「許可」および「不許可」のいずれかを設定可能であるとする。
【０２１３】
なお、通信端末装置５００は、音を発生しないモード（以下、サイレンモード）に設定することができる。また、以下においては、通信端末装置５００が音を発生するモードを、音発生モードともいう。通信端末装置５００を、サイレンモードおよび音発生モードのいずれかに設定するための操作は、数字ボタン群５４６に含まれる記号ボタン１の長押操作であるとする。
【０２１４】
通信端末装置５００が、サイレンモードの場合、制御テーブルＭＤ２００において、通信端末装置５００が音を発生する処理（たとえば、「メロディ１〜２５」）は、「不許可」に設定される。
【０２１５】
なお、通信端末装置５００が実行可能な処理（以下、端末実行可能処理ともいう）は、上記処理に限定されることはない。端末実行可能処理は、たとえば、表示部５３０において、バックライトのみを光らす処理であってもよい。また、端末実行可能処理は、通信端末装置５００に設けられた図示しないストロボを光らす処理であってもよい。また、端末実行可能処理は、ウインドウ画面を表示する処理であってもよい。
【０２１６】
次に、制御テーブル送信処理について説明する。ここで、映像表示装置６００は、待機モードであるとする。前述したように、待機モードとは、表示部６３０に画像が表示されていない状態であって、主電源がオフでない状態である。映像表示装置６００は、待機モードであっても、他の装置または通信部５０とデータ通信可能であるとする。なお、映像表示装置６００は、通常モードであってもよい。
【０２１７】
図１４は、制御テーブル送信処理のフローチャートである。図１４では、通信端末装置５００および映像表示装置６００の各々において行なわれる処理を示す。
【０２１８】
映像表示装置６００では、まず、ステップＳ２４０の処理が行なわれる。
ステップＳ２４０では、接続信号送信処理が行なわれる。接続信号送信処理では、制御部６１０が、無線データ通信機能により接続信号を送信する。以下においては、無線データ通信機能は、一例として、Bluetooth（登録商標）を使用した通信機能であるとする。接続信号は、当該接続信号を受信した装置とデータ通信を行なうための信号である。
【０２１９】
上記処理により送信される接続信号は、映像表示装置６００の設置位置から、一例として、半径１０メートルの領域内まで到達するものとする。すなわち、上記処理により、映像表示装置６００の設置位置から、一例として、半径１０メートルの領域（以下、接続信号受信可能領域ともいう）内にある装置は、接続信号を受信可能であるとする。その後、このステップＳ２４０の処理は終了する。
【０２２０】
ここで、通信端末装置５００は、電源がオン状態であり、かつ、接続信号受信可能領域内にあるとする。通信端末装置５００では、まず、ステップＳ２１０の処理が行なわれる。
【０２２１】
ステップＳ２１０では、制御部５１０が、映像表示装置６００とデータ通信可能であるか否かを判定する。すなわち、制御部５１０は、通信端末装置５００と映像表示装置６００との距離が所定の距離以下となる位置に配置された映像表示装置６００とデータ通信可能であるか否かを判定する。具体的には、制御部５１０が、接続信号を受信したか否かを判定する。
【０２２２】
ステップＳ２１０において、ＹＥＳならば、ステップＳ２１１に進む。一方、ステップＳ２１０において、ＮＯならば、再度、ステップＳ２１０の処理が行なわれる。ここでは、接続信号を受信したとして、ステップＳ２１１に進む。ステップＳ２１０において、ＹＥＳと判定される場合は、制御部５１０が、映像表示装置６００とデータ通信可能であると判定した場合である。
【０２２３】
ステップＳ２１１では、制御部５１０が、制御テーブルを、映像表示装置６００へ送信する。送信される制御テーブルは、図１３の制御テーブルＭＤ２００であるとする。そして、制御テーブル送信処理における通信端末装置５００の処理は終了する。
【０２２４】
映像表示装置６００では、ステップＳ２４０の処理の後、ステップＳ２４１に進む。
ステップＳ２４１では、制御部６１０が、制御テーブルを受信したか否かを判定する。ステップＳ２４１において、ＹＥＳならば、ステップＳ２４２に進む。一方、ステップＳ２４１において、ＮＯならば、再度、ステップＳ２４０の処理が行なわれる。ここでは、制御テーブルＭＤ２００を受信したとして、ステップＳ２４２に進む。
【０２２５】
ステップＳ２４２では、制御部６１０が、受信した制御テーブルを記憶部６２０に記憶させる。これにより、記憶部６２０には、制御テーブルＭＤ２００が記憶される。そして、制御テーブル送信処理における映像表示装置６００の処理は終了する。
【０２２６】
（制御テーブルの変更）
通信端末装置５００が、記憶している制御テーブルは、前述したサイレンモードの設定等により、「状態」の項目が変更される。制御テーブルが変更された場合、制御部５１０は、変更された「状態」の情報（以下、状態変化情報ともいう）のみを、映像表示装置６００へ送信する。
【０２２７】
映像表示装置６００では、制御部６１０が、状態変化情報を受信すると、受信した状態変化情報に基づいて、記憶部６２０に記憶されている制御テーブルを変更する。
【０２２８】
ここで、通信端末装置５００が、サイレンモードに設定されたとする。この場合、制御部６１０が受信する状態変化情報は、図１３の制御テーブルＭＤ２００において、制御番号ＣＴ１，ＣＴ２，ＣＴ６の各々に対応する状態が、「許可」から「不許可」に変更されたことを示す情報となる。また、記憶部６２０には、制御テーブルＭＤ２００が記憶されているとする。
【０２２９】
この場合、制御部６１０は、制御テーブルＭＤ２００において、制御番号ＣＴ１，ＣＴ２，ＣＴ６の各々に対応する状態を、「許可」から「不許可」に変更する。以上のように、記憶部６２０に記憶されている制御テーブルは変更される。
【０２３０】
なお、通信端末装置５００をユーザが操作している場合、制御テーブルにおいて、ユーザの操作を邪魔するような処理（以下、迷惑処理ともいう）の「状態」の項目が、自動的に「許可」から「不許可」に変更されてもよい。迷惑処理は、たとえば、テロップ表示である。なお、上記のユーザの操作により通信端末装置５００で行なわれる処理は、たとえば、電子メールの作成処理、ＷＥＢサイトの閲覧処理、電話等である。制御テーブルが変更された場合、前述したように、制御部５１０は、変更された「状態」の情報のみを、映像表示装置６００へ送信する。
【０２３１】
（通話中の処理）
次に、通信端末装置５００が他の装置（たとえば、携帯電話）と通話中である場合に行なわれる処理（以下、通話中処理ともいう）について説明する。以下においては、通話中処理において、通信端末装置５００が行なう処理を、通話中処理Ｍともいう。また、通話中処理において、映像表示装置６００が行なう処理を、通話中処理Ｔともいう。通話中処理Ｍおよび通話中処理Ｔの各々は、他の処理とは独立して行なわれる処理である。
【０２３２】
図１５は、通話中処理Ｍおよび通話中処理Ｔのフローチャートである。図１５を参照して、通信端末装置５００が行なう通話中処理Ｍでは、ステップＳ３１１の処理が行なわれる。
【０２３３】
ステップＳ３１１では、制御部５１０が、自装置が通話中であるか否かを判定する。ステップＳ３１１において、ＹＥＳならば、ステップＳ３１２に進む。一方、ステップＳ３１１において、ＮＯならば、再度、ステップＳ３１１の処理が行なわれる。ここでは、通信端末装置５００が通話中であるとして、ステップＳ３１２に進む。
【０２３４】
ステップＳ３１２では、制御部５１０が、無線データ通信機能により、通話中報知情報Ｍを、映像表示装置６００へ送信する。通話中報知情報Ｍは、通信端末装置５００が通話中である旨を報知するための情報である。なお、送信される通話中報知情報Ｍには、当該通話中報知情報Ｍを送信した装置の装置ＩＤ（たとえば、“０９０１１１０００”）が含まれる。そして、ステップＳ３１２の処理は終了する。
【０２３５】
映像表示装置６００が行なう通話中処理Ｔでは、まず、ステップＳ３４１の処理が行なわれる。
【０２３６】
ステップＳ３４１では、制御部６１０が、通話中報知情報Ｍを受信したか否かを判定する。ステップＳ３４１において、ＹＥＳならば、ステップＳ３４２に進む。一方、ステップＳ３４１において、ＮＯならば、後述するステップＳ３４３に進む。ここで、装置ＩＤ“０９０１１１０００”を含む通話中報知情報Ｍを受信したとして、ステップＳ３４２に進む。
【０２３７】
ステップＳ３４２では、制御部６１０が、受信した通話中報知情報Ｍを記憶部６２０に記憶させる。なお、受信した通話中報知情報Ｍに含まれる装置ＩＤを含む通話中報知情報Ｍが、既に記憶部６２０に記憶されている場合は、通話中報知情報Ｍを記憶させる処理は行なわれない。そして、ステップＳ３４２の処理は終了する。
【０２３８】
通信端末装置５００が行なうで通話中処理Ｍでは、ステップＳ３１２の処理の後、ステップＳ３１３に進む。
【０２３９】
ステップＳ３１３では、制御部５１０が、通話が終了したか否かを判定する。ステップＳ３１３において、ＹＥＳならば、ステップＳ３１４に進む。一方、ステップＳ３１３において、ＮＯならば、再度、ステップＳ３１３の処理が行なわれる。ここでは、通話が終了したとして、ステップＳ３１４に進む。
【０２４０】
ステップＳ３１４では、制御部５１０が、無線データ通信機能により、通話終了報知情報Ｍを、映像表示装置６００へ送信する。通話終了報知情報Ｍは、通信端末装置５００の通話が終了した旨を報知するための情報である。なお、送信される通話終了報知情報Ｍには、当該通話終了報知情報Ｍを送信した装置の装置ＩＤ（たとえば、“０９０１１１０００”）が含まれる。そして、ステップＳ３１４の処理は終了し、再度、ステップＳ３１１の処理が行なわれる。
【０２４１】
映像表示装置６００が行なう通話中処理Ｔでは、ステップＳ３４２の処理の後、ステップＳ３４３に進む。
【０２４２】
ステップＳ３４３では、制御部６１０が、通話終了報知情報Ｍを受信したか否かを判定する。ステップＳ３４３において、ＹＥＳならば、ステップＳ３４４に進む。一方、ステップＳ３４３において、ＮＯならば、再度、ステップＳ３４１の処理が行なわれる。ここでは、装置ＩＤ“０９０１１１０００”を含む通話終了報知情報Ｍを受信したとして、ステップＳ３４４に進む。
【０２４３】
ステップＳ３４４では、通話終了報知情報Ｍ削除処理が行なわれる。通話終了報知情報Ｍ削除処理では、制御部６１０が、受信した通話終了報知情報Ｍに含まれる装置ＩＤを含む通話中報知情報Ｍが記憶部６２０に記憶されている場合、当該通話中報知情報Ｍを削除する。なお、受信した通話終了報知情報Ｍに含まれる装置ＩＤを含む通話中報知情報Ｍが記憶部６２０に記憶されていない場合、通話中報知情報Ｍの削除の処理は行なわれない。そして、再度、ステップＳ３４１の処理が行なわれる。
【０２４４】
なお、通信端末装置５００に電話がかかってきた場合、通信端末装置５００が、自動的に、たとえば、映像表示装置６００から出力される音声を消音するための処理、映像表示装置６００で再生されているコンテンツを一時停止させるための処理等を行なってもよい。
【０２４５】
（動作状態に応じた制御）
次に、映像表示装置６００が、自装置（映像表示装置６００）の動作状態に応じて、通信端末装置５００を制御するための処理（以下、装置制御処理ともいう）について説明する。以下においては、装置制御処理において、通信端末装置５００が行なう処理を、装置制御処理Ｍともいう。また、装置制御処理において、映像表示装置６００が行なう処理を、装置制御処理Ｔともいう。装置制御処理Ｍおよび装置制御処理Ｔの各々は、他の処理とは独立して行なわれる処理である。ここで、映像表示装置６００は、待機モードであるとする。また、映像表示装置６００の記憶部６２０には、図１３の制御テーブルＭＤ２００が記憶されているとする。
【０２４６】
図１６は、装置制御処理Ｍおよび装置制御処理Ｔのフローチャートである。図１６を参照して、映像表示装置６００が行なう装置制御処理Ｔでは、まず、ステップＳ４４１の処理が行なわれる。
【０２４７】
ステップＳ４４１では、状態判定処理Ｔが行なわれる。状態判定処理Ｔでは、制御部６１０が、自装置（映像表示装置６００）の動作状態を判定する。ここでは、制御部６１０は、自装置（映像表示装置６００）の動作状態が、待機モードであると判定する。そしてステップＳ４４２に進む。
【０２４８】
ステップＳ４４２では、制御部６１０が、記憶部６２０に記憶されている制御テーブルに記載される装置ＩＤにより特定（識別）される通信端末装置５００が通話中であるか否かを判定する。具体的には、制御部６１０が、制御テーブルに記載される装置ＩＤを含む通話中報知情報Ｍが、図１５のステップＳ３４２の処理により、記憶部６２０に記憶されているか否かを判定する。ステップＳ４４２において、ＹＥＳならば、この装置制御処理Ｔは終了する。一方、ステップＳ４４２において、ＮＯならば、ステップＳ４４３に進む。
【０２４９】
ここで、記憶部６２０に記憶されている制御テーブルは、図１３の制御テーブルＭＤ２００であるとする。また、制御テーブルＭＤ２００に記載される装置ＩＤ“０９０１１１０００”を含む通話中報知情報Ｍが、記憶部６２０に記憶されてないとする。すなわち、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０２５０】
ステップＳ４４３では、制御データ送信処理が行なわれる。制御データ送信処理では、制御部６１０が、判定された動作状態に応じた制御データを、記憶部６２０に記憶されている制御テーブルに記載される装置ＩＤにより特定（識別）される通信端末装置５００へ送信する。ここで、記憶部６２０に記憶されている制御テーブルは、図１３の制御テーブルＭＤ２００であるとする。
【０２５１】
ここで、送信される制御データは、制御テーブルＭＤ２００において、「許可」となっている処理に基づいて生成されるデータである。送信される制御データは、以下の制御データＴＤ３００であるとする。そして、ステップＳ４４３の処理は終了し、この装置制御処理Ｔは終了する。
【０２５２】
図１７は、一例としての制御データＴＤ３００を示す図である。図１７を参照して、制御データＴＤ３００において、「装置ＩＤ」とは、制御データＴＤ３００の送信先の装置のＩＤである。「制御番号」は、図１３で説明したので詳細な説明は繰り返さない。
【０２５３】
「指定処理」とは、制御テーブル（たとえば、制御テーブルＭＤ２００）の制御番号に対応する処理のうち、少なくとも１つの処理である。たとえば、制御番号“ＣＴ１”に対応する「メロディ２」は、制御テーブルＭＤ２００の制御番号“ＣＴ１”に対応するメロディ１〜２５のうちの１つである。
【０２５４】
「パラメータ」とは、対応する「指定処理」が必要な場合に記述される。たとえば、「指定処理」が「テロップ表示」の場合、対応するパラ−メータが、「電源オン」である場合、映像表示装置６００を待機モードから通常モードに移行させるためのボタンが、通信端末装置５００の表示部５３０に表示される。
【０２５５】
再び、図１６を参照して、通信端末装置５００が行なう装置制御処理Ｍでは、まず、ステップＳ４１１の処理が行なわれる。
【０２５６】
ステップＳ４１１では、制御部５１０が、自装置宛の制御データを受信したか否かを判定する。自装置宛の制御データとは、当該制御データに自装置の装置ＩＤが記載されているデータである。ステップＳ４１１において、ＹＥＳならば、ステップＳ４１２に進む。一方、ステップＳ４１１において、ＮＯならば、再度、ステップＳ４１１の処理が行なわれる。ここでは、制御データＴＤ３００を受信したとして、ステップＳ４１２に進む。
【０２５７】
ステップＳ４１２では、制御部５１０が、受信した制御データを、記憶部５２０に記憶させる。この処理により、記憶部５２０には、制御データＴＤ３００が記憶されるとする。そして、ステップＳ４１４に進む。
【０２５８】
ステップＳ４１４では、制御データ対応処理Ｍが行なわれる。制御データ対応処理Ｍでは、受信した制御データに対応した処理が行なわれる。
【０２５９】
ここで、受信した制御データは、制御データＴＤ３００であるとする。この場合、制御データ対応処理Ｍでは、制御部５１０が、音声出力処理Ｍ、発光処理Ｍおよびテロップ表示処理Ｍを、同時に行なう。なお、音声出力処理Ｍ、発光処理Ｍおよびテロップ表示処理Ｍは、同時に行なわれなくてもよい。
【０２６０】
音声出力処理Ｍでは、制御部５１０が、記憶部５２０に記憶されているメロディ２データを、音声出力部５７２へ送信する。メロディ２データは、制御データＴＤ３００において、制御番号ＣＴ１に対応するデータである。メロディ２データは、メロディ２に基づく音声のデータである。音声出力部５７２は、メロディ２データを受信すると、メロディ２データに基づく音声を、音声出力部５７２に含まれるスピーカーから出力する。
【０２６１】
発光処理Ｍでは、制御部５１０が、記憶部５２０に記憶されている赤発行１データを、ＬＥＤ５７６へ送信する。赤発行１データは、制御データＴＤ３００において、制御番号ＣＴ４に対応するデータである。赤発行１データは、赤の光を、所定のパターンで発光するためのデータである。ＬＥＤ５７６は、赤発行１データを受信すると、赤発行１データに基づくパターンで、赤の光を発光する。
【０２６２】
テロップ表示処理Ｍは、制御部５１０が、ＶＤＰ５３２を利用して、以下のテロップ画像ＭＧ２１０を、現在表示部５３０に表示されている端末画像の前面に表示させた報知画像ＭＧ２００を、表示部５３０に表示させる。ここで、端末画像は、たとえば、表示部５３０において、電子メールを閲覧中であれば、電子メールの文章が表示された画像となる。以上により、装置制御処理Ｍの処理は終了する。
【０２６３】
図１８は、一例としての報知画像ＭＧ２００を示す図である。図１８を参照して、報知画像ＭＧ２００には、端末画像の前面にテロップ画像ＭＧ２１０が配置される。
【０２６４】
テロップ画像ＭＧ２１０には、映像表示装置の電源をオンするか否かを問合せる旨のメッセージが表示される。また、テロップ画像ＭＧ２１０には、ボタン画像ＭＢＧ２１６が配置される。ボタン画像ＭＢＧ２１６は、押下処理されることにより、電源リモコン信号を、映像表示装置６００へ送信するためのボタン画像である。
【０２６５】
次に、待機モードの映像表示装置６００を、通常モードに移行させるための処理について説明する。ここで、通信端末装置５００の表示部５３０には、図１８の報知画像ＭＧ２００が表示されているとする。
【０２６６】
再び、図１２を参照して、通信端末装置５００が行なう操作判定処理Ｍにおいて、ステップＳ１０では、前述したのと同様な処理が行なわれるので詳細な説明は繰り返さない。ここでは、図１８のボタン画像ＭＢＧ２１６を押下するための制御操作があったとして、ステップＳ１２に進む。
【０２６７】
ステップＳ１２では、制御部５１０が、制御信号としての電源リモコン信号を、映像表示装置６００へ送信する。
【０２６８】
映像表示装置６００が行なう制御信号対応処理Ｔにおいて、ステップＳ２０では、前述したのと同様な処理が行なわれるので詳細な説明は繰り返さない。ここでは、制御信号としての電源リモコン信号を受信したとして、ステップＳ２２に進む。
【０２６９】
ステップＳ２２では、制御信号対応処理が行なわれる。ここでは、制御信号対応処理において、制御部６１０が、前述の画像表示電源をオンにさせ、映像表示装置６００を通常モードに設定する。これにより、表示部６３０に画像が表示可能となる。
【０２７０】
以上の処理が行なわれることにより、通信端末装置５００が通話中である場合、制御データは、通信端末装置５００へ送信されない。そのため、通信端末装置５００が通話中である場合、通信端末装置５００において、前述したような、制御データ対応処理Ｍが行なわれことはない。したがって、通信端末装置５００のユーザの通話を中断させてしまうことを防ぐことができるという効果を奏する。
【０２７１】
（コンテンツ表示中の処理）
次に、映像表示装置６００の表示部６３０において、コンテンツを表示している場合の処理について説明する。以下においては、表示部６３０に表示されているコンテンツを表示コンテンツともいう。表示コンテンツは、図９の処理により登録した、サービスサーバ８００Ａが提供するサービスサイトからストリーミング配信されるコンテンツであるとする。なお、表示コンテンツは、放送信号に基づく画像（以下、ＴＶ画像ともいう）であってもよい。
【０２７２】
ここで、表示コンテンツには、当該表示コンテンツに関連する情報（以下、コンテンツ関連情報ともいう）が含まれるとする。なお、表示コンテンツは、たとえば、サッカーの試合の番組であるとする。この場合、コンテンツ関連情報は、たとえば、サッカーの試合の出場選手のプロフィールであるとする。なお、コンテンツ関連情報は、表示コンテンツの表示中に、サービスサーバ８００Ａから映像表示装置６００へ配信される情報（プッシュ情報）であってもよい。なお、コンテンツ関連情報は、たとえば、同時刻の他のチャンネルの番組の情報、お勧め番組の情報等であってもよい。
【０２７３】
また、映像表示装置６００の記憶部６２０には、図１３の制御テーブルＭＤ２００が記憶されているとする。
【０２７４】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここでは、制御部６１０は、自装置（映像表示装置６００）の動作状態は、コンテンツ関連情報を含む表示コンテンツを、表示部６３０が表示している状態であると判定する。
【０２７５】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０２７６】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。この処理により、送信される制御データは、以下の制御データＴＤ３００Ａであるとする。
【０２７７】
図１９は、一例としての制御データＴＤ３００Ａを示す図である。図１９を参照して、制御データＴＤ３００Ａの各項目は、図１７の制御データＴＤ３００で説明したのと同様なので詳細な説明は繰り返さない。制御データＴＤ３００Ａにおいて、「テロップ表示」に対応するパラメータが「関連情報」である場合、コンテンツ関連情報を表示させるためのボタンが通信端末装置５００の表示部５３０に表示される。
【０２７８】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ａを受信したとして、ステップＳ４１２に進む。
【０２７９】
ステップＳ４１２では、前述したのと同様な処理が行なわれるので詳細な説明は繰り返さない。この処理により、制御データＴＤ３００Ａが記憶されるとする。
【０２８０】
ステップＳ４１４では、前述したように、制御データ対応処理Ｍが行なわれる。制御データ対応処理Ｍでは、受信した制御データに対応した処理が行なわれる。
【０２８１】
ここで、受信した制御データは、制御データＴＤ３００Ａであるとする。この場合、制御データ対応処理Ｍでは、制御部５１０が、音声出力処理Ｍ、発光処理Ｍおよびテロップ表示処理ＭＡを、同時に行なう。なお、音声出力処理Ｍ、発光処理Ｍおよびテロップ表示処理ＭＡは、同時に行なわれなくてもよい。
【０２８２】
音声出力処理Ｍおよび発光処理Ｍは、前述したのと同様なので詳細な説明は繰り返さない。
【０２８３】
テロップ表示処理ＭＡでは、制御部５１０が、ＶＤＰ５３２を利用して、以下のテロップ画像ＭＧ２１０Ａを、現在表示部５３０に表示されている端末画像の前面に表示させた報知画像ＭＧ２００Ａを、表示部５３０に表示させる。
【０２８４】
図２０は、一例としての報知画像ＭＧ２００Ａを示す図である。図２０を参照して、報知画像ＭＧ２００Ａには、端末画像の前面にテロップ画像ＭＧ２１０Ａが配置される。
【０２８５】
テロップ画像ＭＧ２１０Ａには、関連情報を表示するか否かを問合せる旨のメッセージが表示される。また、テロップ画像ＭＧ２１０Ａには、ボタン画像ＭＢＧ２１６Ａが配置される。ボタン画像ＭＢＧ２１６Ａは、押下処理されることにより、関連情報表示リモコン信号を、映像表示装置６００へ送信するためのボタン画像である。関連情報表示リモコン信号は、コンテンツ関連情報を、表示部５３０に表示させるためのリモコン信号である。
【０２８６】
次に、コンテンツ関連情報を、表示部５３０に表示させるための処理について説明する。ここで、通信端末装置５００の表示部５３０には、図２０の報知画像ＭＧ２００Ａが表示されているとする。
【０２８７】
再び、図１２を参照して、通信端末装置５００が行なう操作判定処理Ｍにおいて、ステップＳ１０では、前述したのと同様な処理が行なわれるので詳細な説明は繰り返さない。ここでは、図１８のボタン画像ＭＢＧ２１６Ａを押下するための制御操作があったとして、ステップＳ１２に進む。
【０２８８】
ステップＳ１２では、制御部５１０が、制御信号としての関連情報表示リモコン信号を、映像表示装置６００へ送信する。
【０２８９】
映像表示装置６００が行なう制御信号対応処理Ｔにおいて、ステップＳ２０では、前述したのと同様な処理が行なわれるので詳細な説明は繰り返さない。ここでは、制御信号としての関連情報表示リモコン信号を受信したとして、ステップＳ２２に進む。
【０２９０】
ステップＳ２２では、制御信号対応処理が行なわれる。ここでは、制御信号対応処理において、制御部６１０が、コンテンツ関連情報を通信端末装置５００へ送信する。
【０２９１】
通信端末装置５００では、制御部５１０がコンテンツ関連情報を受信する。そして、制御部５１０は、ＶＤＰ５３２を利用して、コンテンツ関連情報を表示させた関連情報表示画像を、表示部５３０に表示させる。前述したように、コンテンツ関連情報は、サッカーの試合の出場選手のプロフィールであるとする。
【０２９２】
以上の処理が行なわれることにより、映像表示装置６００に表示されている表示コンテンツの関連情報がある場合、映像表示装置６００の表示部６３０に、関連情報がある旨の表示等を行なう必要がない。そのため、ユーザによる表示コンテンツの視聴を妨げることを防ぐことができるという効果を奏する。
【０２９３】
また、映像表示装置６００に表示されている表示コンテンツの関連情報がある場合、通信端末装置５００において、音、光等で報知することができる。したがって、通信端末装置５００のユーザといった特定のユーザに、表示コンテンツの関連情報があることを容易に知らせることができるという効果を奏する。
【０２９４】
また、映像表示装置６００に表示コンテンツを表示させた状態で、別の装置である通信端末装置５００で、表示コンテンツの関連情報（コンテンツ関連情報）を参照することができる。したがって、コンテンツの見易さを損ねることなく、通信端末装置５００において関連情報を参照することができるという効果を奏する。
【０２９５】
以上により、コンテンツの見易さを損ねることなく、通信端末装置５００において多種多様な処理を行なうことができるという効果を奏する。
【０２９６】
（タイマー処理）
ここで、映像表示装置６００は、所定時刻に、所定のチャンネルの番組を表示するタイマー処理を行なうとする。タイマー処理は、プログラム１８０Ａに含まれるタイマープログラムの実行により行なわれる。
【０２９７】
次に、映像表示装置６００が行なうタイマー処理により、所定時刻に、所定のチャンネルの番組を表示する場合の処理について説明する。
【０２９８】
具体的には、タイマープログラムにより、待機モードの映像表示装置６００が、所定時刻（たとえば、午前６時）に通常モードに移行し、所定のチャンネル番号（たとえば、“３”）の番組を表示するように、ユーザにより設定されている状況の処理について説明する。当該状況は、ユーザが、たとえば、所定時刻に、所望のチャンネルの番組を視聴するために予約設定をしている状況である。
【０２９９】
また、映像表示装置６００の記憶部６２０には、図１３の制御テーブルＭＤ２００が記憶されているとする。
【０３００】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここで、現在の時刻が、タイマープログラムにより設定された所定時刻（たとえば、午前６時）になったとする。この場合、制御部６１０は、自装置（映像表示装置６００）の動作状態は、タイマー処理による通常モード移行状態と判定する。
【０３０１】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０３０２】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。この処理により、送信される制御データは、以下の制御データＴＤ３００Ｂであるとする。
【０３０３】
図２１は、一例としての制御データＴＤ３００Ｂを示す図である。図２１を参照して、制御データＴＤ３００Ｂの各項目は、図１７の制御データＴＤ３００で説明したのと同様なので詳細な説明は繰り返さない。制御データＴＤ３００Ｂにおいて、「テロップ表示」に対応するパラメータが「タイマー通常モード移行」である場合、映像表示装置６００を待機モードから通常モードに移行させるためのボタンが、通信端末装置５００の表示部５３０に表示される。
【０３０４】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ｂを受信したとして、ステップＳ４１２に進む。
【０３０５】
ステップＳ４１２では、前述したのと同様な処理が行なわれるので詳細な説明は繰り返さない。この処理により、制御データＴＤ３００Ｂが記憶されるとする。
【０３０６】
ステップＳ４１４では、前述したように、制御データ対応処理Ｍが行なわれる。制御データ対応処理Ｍでは、受信した制御データに対応した処理が行なわれる。
【０３０７】
ここで、受信した制御データは、制御データＴＤ３００Ｂであるとする。この場合、制御データ対応処理Ｍでは、制御部５１０が、音声出力処理Ｍ、発光処理Ｍおよびテロップ表示処理ＭＢを、同時に行なう。なお、音声出力処理Ｍ、発光処理Ｍおよびテロップ表示処理ＭＢは、同時に行なわれなくてもよい。
【０３０８】
音声出力処理Ｍおよび発光処理Ｍは、前述したのと同様なので詳細な説明は繰り返さない。
【０３０９】
テロップ表示処理ＭＢでは、制御部５１０が、ＶＤＰ５３２を利用して、以下のテロップ画像ＭＧ２１０Ｂを、現在表示部５３０に表示されている端末画像の前面に表示させた報知画像ＭＧ２００Ｂを、表示部５３０に表示させる。
【０３１０】
図２２は、一例としての報知画像ＭＧ２００Ｂを示す図である。図２２を参照して、報知画像ＭＧ２００Ｂには、端末画像の前面にテロップ画像ＭＧ２１０Ｂが配置される。
【０３１１】
テロップ画像ＭＧ２１０Ｂには、設定された時刻になった旨のメッセージと、映像表示装置の電源をオンするか否かを問合せる旨のメッセージとが表示される。また、テロップ画像ＭＧ２１０Ｂには、ボタン画像ＭＢＧ２１６Ｂが配置される。ボタン画像ＭＢＧ２１６Ｂは、押下処理されることにより、設定チャネル表示電源リモコン信号を、映像表示装置６００へ送信するためのボタン画像である。設定チャネル表示電源リモコン信号は、映像表示装置６００を、通常モードに設定し、設定したチャネルを映像表示装置６００で表示するためのリモコン信号である。
【０３１２】
次に、待機モードの映像表示装置６００を、通常モードに移行させるための処理について説明する。ここで、通信端末装置５００の表示部５３０には、図２２の報知画像ＭＧ２００Ｂが表示されているとする。
【０３１３】
再び、図１２を参照して、通信端末装置５００が行なう操作判定処理Ｍにおいて、ステップＳ１０では、前述したのと同様な処理が行なわれるので詳細な説明は繰り返さない。ここでは、図２２のボタン画像ＭＢＧ２１６Ｂを押下するための制御操作があったとして、ステップＳ１２に進む。
【０３１４】
ステップＳ１２では、制御部５１０が、制御信号としての設定チャネル表示電源リモコン信号を、映像表示装置６００へ送信する。
【０３１５】
映像表示装置６００が行なう制御信号対応処理Ｔにおいて、ステップＳ２０では、前述したのと同様な処理が行なわれるので詳細な説明は繰り返さない。ここでは、制御信号としての設定チャネル表示電源リモコン信号を受信したとして、ステップＳ２２に進む。
【０３１６】
ステップＳ２２では、制御信号対応処理が行なわれる。ここでは、制御信号対応処理において、制御部６１０が、前述の画像表示電源をオンにさせ、映像表示装置６００を通常モードに設定する。そして、制御部６１０が、チューナ５０５に、設定されたチャンネルの番組を表示させるため指示を送る。これにより、表示部６３０に、設定されたチャンネルの番組の画像が表示される。
【０３１７】
以上の処理が行なわれることにより、通信端末装置５００が、映像表示装置６００の近傍にない場合は、映像表示装置６００は、自動的に通常モードに移行することはない。すなわち、通信端末装置５００のユーザが、映像表示装置６００の近傍にない場合は、映像表示装置６００は、自動的に通常モードに移行することはない。したがって、ユーザが、タイマー設定したことを忘れており、設定した時刻に映像表示装置６００の近傍にいなくても、映像表示装置６００は、テレビ等で行なわれる従来の視聴予約のように、自動的に通常モードに移行することはない。そのため、映像表示装置６００の無駄な電力の消費を防ぐことができるという効果を奏する。
【０３１８】
以上のように、映像表示装置６００が、自装置のプログラムで動作する場合においても、本発明は適用可能である。
【０３１９】
（コンテンツ表示中の処理の他の例１）
次に、映像表示装置６００の表示部６３０において、コンテンツを表示している場合の他の例の処理について説明する。以下においては、表示部６３０に表示されているコンテンツを表示コンテンツともいう。表示コンテンツは、放送信号に基づく画像（以下、ＴＶ画像ともいう）であるとする。なお、表示コンテンツは、図９の処理により登録した、サービスサーバ８００Ａが提供するサービスサイトからストリーミング配信されるコンテンツであってもよい。
【０３２０】
ここで、映像表示装置６００の記憶部６２０には、図１０のユーザデータＴＤ５０が記憶されているとする。また、映像表示装置６００は、事前に、ネットワーク７０と通信することにより、ＥＰＧデータを取得し、取得したＥＰＧデータを、記憶部６２０に記憶させているとする。記憶部６２０に記憶されているＥＰＧデータは、以下のＥＰＧデータＴＤ４００であるとする。
【０３２１】
図２３は、一例としてのＥＰＧデータＴＤ４００を示す図である。図２３を参照して、ＥＰＧデータＴＤ４００は、たとえば、１日分の複数の番組情報データから構成される。「番号」とは、複数の番組情報データを特定するための番号である。「ＩＤ番号」とは、番組を識別するための番号である。「チャンネル番号」とは、放送局に割り当てられているチャンネル番号である。「放送局コード」とは、放送局に割り当てられているコード番号である。「放送局名」とは、放送局の名称である。
【０３２２】
「タイトル」とは、対応する番組のタイトルを示す。「開始日時」とは、対応する番組の放送開始日時を示す。「終了日時」とは、対応する番組の放送終了日時を示す。「ジャンル」とは、対応する番組のジャンルを示す。「出演者」とは、対応する番組の主な出演者である。「番組内容」とは、対応する番組の簡単な内容を示す。なお、ＥＰＧデータＴＤ４００には、さらに、「音声情報」が含まれてもよい。「音声情報」とは、対応する番組の音声が、ステレオおよびモノラルのいずれであるかを示す情報である。
【０３２３】
また、映像表示装置６００の記憶部６２０には、図１３の制御テーブルＭＤ２００が記憶されているとする。
【０３２４】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここで、通信端末装置５００のユーザは、通信端末装置５００を映像表示装置６００のリモコンとして操作することにより、ザッピングを行なっているとする。ザッピングとは、短時間（たとえば、１分）において、チャンネルを頻繁に変えることである。すなわち、通信端末装置５００のユーザは、ザッピングにより、同一時刻に放送されている複数の番組を確認しているとする。
【０３２５】
この場合、制御部６１０は、自装置（映像表示装置６００）の動作状態は、ザッピング状態であると判定する。
【０３２６】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０３２７】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。
【０３２８】
ステップＳ４４３の処理では、ステップＳ４４１の状態判定処理Ｔにより判定された状態が、ザッピング状態である場合、制御データが送信される前に、嗜好コンテンツ判定処理が行なわれる。以下においては、前述した嗜好キーワードを含むタイトルの番組を嗜好番組ともいう。すなわち、嗜好番組は、ユーザの嗜好にあった番組である。ここで、嗜好コンテンツ判定処理において、記憶部６２０に記憶されている、図１０のユーザデータＴＤ５０が使用されるとする。この場合、嗜好キーワードは、「サッカー」、「野球」、「お笑い」である。
【０３２９】
嗜好コンテンツ判定処理では、制御部６１０が、現時点で放送されている複数の番組のうち、ユーザデータＴＤ５０が示す嗜好キーワードを含む嗜好番組のチャンネル番号を、図２３のＥＰＧデータＴＤ４００により判定する。判定されたチャンネル番号は、一例として、“３”、“７”であるとする。そして、制御部６１０は、以下の制御データＴＤ３００Ｃを生成する。
【０３３０】
この場合、ステップＳ４４３の処理により、送信される制御データは、以下の制御データＴＤ３００Ｃとなる。
【０３３１】
図２４は、一例としての制御データＴＤ３００Ｃを示す図である。図２４を参照して、制御データＴＤ３００Ｃの各項目は、図１７の制御データＴＤ３００で説明したのと同様なので詳細な説明は繰り返さない。制御データＴＤ３００Ｃにおいて、「バイブ２」は、図１３の制御テーブルＭＤ２００の制御番号“ＣＴ３”に対応するバイブ１〜５のうちの１つである。「バイブ２」に対応するパラメータが、「３，７ボタン押下時」である場合、通信端末装置５００の数字ボタン群５４６に含まれる、３ボタンまたは７ボタンが押下された場合。振動部５７９が、「バイブ２」のパターンに応じた振動を行なう。この処理により、通信端末装置５００が振動する。
【０３３２】
ここで、数字ボタン群５４６に含まれる、３ボタンおよび７ボタンは、リモコンモードの通信端末装置５００において押下されると、それぞれ、チャンネル番号“３”および“７”の番組を表示させるためのリモコン信号を、映像表示装置６００へ送信するためのボタンであるとする。
【０３３３】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ｃを受信したとして、ステップＳ４１２に進む。
【０３３４】
ステップＳ４１２では、前述したのと同様な処理が行なわれるので詳細な説明は繰り返さない。この処理により、制御データＴＤ３００Ｃが記憶されるとする。
【０３３５】
ステップＳ４１４では、前述したように、制御データ対応処理Ｍが行なわれる。制御データ対応処理Ｍでは、受信した制御データに対応した処理が行なわれる。
【０３３６】
ここで、受信した制御データは、制御データＴＤ３００Ｃであるとする。この場合、制御データ対応処理Ｍでは、数字ボタン群５４６に含まれる、３ボタンおよび７ボタンが押下された場合、振動処理Ｍが行なわれる。
【０３３７】
振動処理Ｍでは、制御部５１０が、記憶部５２０に記憶されているバイブ２データを、振動部５７９へ送信する。バイブ２データは、制御データＴＤ３００Ｃにおいて、制御番号ＣＴ３に対応するデータである。バイブ２データは、振動部５７９を、所定のパターンで振動させるためのデータである。なお、通信端末装置５００は、振動部５７９の振動に応じて振動する。振動部５７９は、バイブ２データを受信すると、バイブ２データに基づくパターンで通信端末装置５００を振動させる。
【０３３８】
なお、３ボタンが押下された場合、図１２のステップＳ１２の処理により、チャンネル番号“３”の番組を表示させるためのリモコン信号が、映像表示装置６００に送信される。
【０３３９】
映像表示装置６００は、当該リモコン信号を受信すると、表示部６３０に、チャンネル番号“３”の番組（嗜好番組）を表示させる。
【０３４０】
なお、７ボタンが押下された場合の処理は、上記の３ボタンが押下された場合の処理と同様なので詳細な説明は繰り返さない。
【０３４１】
以上の処理が行なわれることにより、ユーザがザッピングを行なっている場合、ある特定のボタンを押下したときに、通信端末装置５００が振動することで、押下したボタンに基づくリモコン信号により、映像表示装置６００に表示される番組（コンテンツ）が、嗜好番組であることを認識することができる。
【０３４２】
すなわち、ザッピングを行なっている場合、嗜好番組を、ユーザーが迅速に探し出すことができるという効果を奏する。
【０３４３】
（コンテンツ表示中の処理の他の例２）
次に、映像表示装置６００の表示部６３０において、コンテンツを表示している場合の他の例の処理について説明する。以下においては、表示部６３０に表示されているコンテンツを表示コンテンツともいう。表示コンテンツは、放送信号に基づく画像（以下、ＴＶ画像ともいう）であるとする。なお、表示コンテンツは、図９の処理により登録した、サービスサーバ８００Ａが提供するサービスサイトからストリーミング配信されるコンテンツであってもよい。
【０３４４】
ここで、表示コンテンツには、当該表示コンテンツに関連するコンテンツ関連情報が含まれるとする。なお、表示コンテンツは、たとえば、サッカーの試合の番組であるとする。コンテンツ関連情報には、表示コンテンツのタイトル名、たとえば、サッカーの試合の出場選手のプロフィールが含まれるとする。
【０３４５】
ここで、映像表示装置６００の記憶部６２０には、図１０のユーザデータＴＤ５０が記憶されているとする。ここで、表示コンテンツのタイトル名は、ユーザデータＴＤ５０が示す嗜好キーワード（たとえば、サッカー）を含むタイトルであるとする。以下においては、嗜好キーワードを含むタイトルの表示コンテンツを、嗜好コンテンツともいう。
【０３４６】
また、映像表示装置６００の記憶部６２０には、図１３の制御テーブルＭＤ２００が記憶されているとする。
【０３４７】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここでは、制御部６１０は、自装置（映像表示装置６００）の動作状態は、嗜好コンテンツを、表示部６３０が表示している状態であると判定する。
【０３４８】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０３４９】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。この処理により、送信される制御データは、以下の制御データＴＤ３００Ｄであるとする。
【０３５０】
図２５は、一例としての制御データＴＤ３００Ｄを示す図である。図２５を参照して、制御データＴＤ３００Ｄの各項目は、図１７の制御データＴＤ３００で説明したのと同様なので詳細な説明は繰り返さない。制御データＴＤ３００Ｄにおいて、「テロップ表示」に対応するパラメータが「嗜好コンテンツ表示中」である場合、嗜好コンテンツ表示中の旨のメッセージが、通信端末装置５００の表示部５３０に表示される。
【０３５１】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ｄを受信したとして、ステップＳ４１２に進む。
【０３５２】
ステップＳ４１２では、前述したのと同様な処理が行なわれるので詳細な説明は繰り返さない。この処理により、制御データＴＤ３００Ｄが記憶されるとする。
【０３５３】
ステップＳ４１４では、前述したように、制御データ対応処理Ｍが行なわれる。制御データ対応処理Ｍでは、受信した制御データに対応した処理が行なわれる。
【０３５４】
ここで、受信した制御データは、制御データＴＤ３００Ｄであるとする。この場合、制御データ対応処理Ｍでは、制御部５１０が、音声出力処理Ｍ、振動処理Ｍ、発光処理Ｍおよびテロップ表示処理ＭＤを、同時に行なう。なお、音声出力処理Ｍ、振動処理Ｍ、発光処理Ｍおよびテロップ表示処理ＭＤは、同時に行なわれなくてもよい。
【０３５５】
音声出力処理Ｍ、振動処理Ｍおよび発光処理Ｍは、前述したのと同様なので詳細な説明は繰り返さない。
【０３５６】
テロップ表示処理ＭＤでは、制御部５１０が、ＶＤＰ５３２を利用して、以下のテロップ画像ＭＧ２１０Ｄを、現在表示部５３０に表示されている端末画像の前面に表示させた報知画像ＭＧ２００Ｄを、表示部５３０に表示させる。
【０３５７】
図２６は、一例としての報知画像ＭＧ２００Ｄを示す図である。図２６を参照して、報知画像ＭＧ２００Ｄには、端末画像の前面にテロップ画像ＭＧ２１０Ｄが配置される。
【０３５８】
テロップ画像ＭＧ２１０Ｄには、あなたの嗜好に応じたコンテンツを表示中である旨のメッセージが表示される。
【０３５９】
以上の処理が行なわれることにより、映像表示装置６００に表示されるコンテンツが、ユーザは、嗜好コンテンツであることを、迅速に、認識することができる。
【０３６０】
（コンテンツ表示中の処理の他の例３）
次に、映像表示装置６００が消音状態に設定された場合の処理について説明する。消音状態とは、映像表示装置６００が音声を発生しない状態である。ここで、映像表示装置６００の表示部６３０には、放送信号に基づく、コンテンツとしての番組が表示されているとする。
【０３６１】
また、映像表示装置６００の記憶部６２０には、図１３の制御テーブルＭＤ２００が記憶されているとする。ここで、ユーザによる通信端末装置５００の操作により、映像表示装置６００は、消音状態に設定されているとする。
【０３６２】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここでは、制御部６１０は、自装置（映像表示装置６００）の動作状態は、消音状態であると判定する。
【０３６３】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０３６４】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。この処理により、送信される制御データは、以下の制御データＴＤ３００Ｅであるとする。
【０３６５】
図２７は、一例としての制御データＴＤ３００Ｅを示す図である。図２７を参照して、制御データＴＤ３００Ｅの各項目は、図１７の制御データＴＤ３００で説明したのと同様なので詳細な説明は繰り返さない。制御データＴＤ３００Ｅにおいて、「スピーカー」は、音声出力部５７０により音声を出力する処理を示す。なお、音声を出力するのは、音声出力部５７２であってもよい。
【０３６６】
また、制御データＴＤ３００Ｅにおいて、「テロップ表示」に対応するパラメータが「消音状態」である場合、映像表示装置６００に表示されているコンテンツの音声を通信端末装置５００から出力させるためのボタンが、通信端末装置５００の表示部５３０に表示される。
【０３６７】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ｅを受信したとして、ステップＳ４１２に進む。
【０３６８】
ステップＳ４１２では、前述したのと同様な処理が行なわれるので詳細な説明は繰り返さない。この処理により、制御データＴＤ３００Ｅが記憶されるとする。
【０３６９】
ステップＳ４１４では、前述したように、制御データ対応処理Ｍが行なわれる。制御データ対応処理Ｍでは、受信した制御データに対応した処理が行なわれる。
【０３７０】
ここで、受信した制御データは、制御データＴＤ３００Ｅであるとする。この場合、制御データ対応処理Ｍでは、制御部５１０が、振動処理Ｍ、発光処理Ｍおよびテロップ表示処理ＭＥを、同時に行なう。なお、振動処理Ｍ、発光処理Ｍおよびテロップ表示処理ＭＥは、同時に行なわれなくてもよい。
【０３７１】
振動処理Ｍおよび発光処理Ｍは、前述したのと同様なので詳細な説明は繰り返さない。
テロップ表示処理ＭＥでは、制御部５１０が、ＶＤＰ５３２を利用して、以下のテロップ画像ＭＧ２１０Ｅを、現在表示部５３０に表示されている端末画像の前面に表示させた報知画像ＭＧ２００Ｅを、表示部５３０に表示させる。
【０３７２】
図２８は、一例としての報知画像ＭＧ２００Ｅを示す図である。図２８を参照して、報知画像ＭＧ２００Ｅには、端末画像の前面にテロップ画像ＭＧ２１０Ｅが配置される。
【０３７３】
テロップ画像ＭＧ２１０Ｅには、消音中のコンテンツの音声を通信端末装置から出力するか否かを問合せる旨のメッセージが表示される。また、テロップ画像ＭＧ２１０Ｅには、ボタン画像ＭＢＧ２１６Ｅが配置される。ボタン画像ＭＢＧ２１６Ｅは、押下処理されることにより、コンテンツ音声出力信号を、映像表示装置６００へ送信するためのボタン画像である。コンテンツ音声出力信号は、映像表示装置６００に表示されているコンテンツの音声を、通信端末装置５００から出力させるためのリモコン信号である。
【０３７４】
次に、映像表示装置６００に表示されているコンテンツの音声を、通信端末装置５００から出力させるための処理について説明する。ここで、通信端末装置５００の表示部５３０には、図２８の報知画像ＭＧ２００Ｅが表示されているとする。
【０３７５】
再び、図１２を参照して、通信端末装置５００が行なう操作判定処理Ｍにおいて、ステップＳ１０では、前述したのと同様な処理が行なわれるので詳細な説明は繰り返さない。ここでは、図２８のボタン画像ＭＢＧ２１６Ｅを押下するための制御操作があったとして、ステップＳ１２に進む。
【０３７６】
ステップＳ１２では、制御部５１０が、制御信号としてのコンテンツ音声出力信号を、映像表示装置６００へ送信する。
【０３７７】
映像表示装置６００が行なう制御信号対応処理Ｔにおいて、ステップＳ２０では、前述したのと同様な処理が行なわれるので詳細な説明は繰り返さない。ここでは、制御信号としてのコンテンツ音声出力信号を受信したとして、ステップＳ２２に進む。
【０３７８】
ステップＳ２２では、制御信号対応処理が行なわれる。ここでは、制御信号対応処理において、制御部６１０は、映像表示装置６００の表示部６３０に表示されているコンテンツの音声データ（以下、表示コンテンツ音声データともいう）を、通信端末装置５００へ送信する。
【０３７９】
通信端末装置５００では、制御部５１０が、表示コンテンツ音声データを受信すると、受信した表示コンテンツ音声データを、音声出力部５７０へ送信する。音声出力部５７０は、表示コンテンツ音声データを受信すると、表示コンテンツ音声データに基づく音声を、音声出力部５７０に含まれるスピーカーから出力する。
【０３８０】
以上の処理が行なわれることにより、映像表示装置６００が消音状態に設定された場合、通信端末装置５００のユーザは、映像表示装置６００の表示部６３０に表示されているコンテンツの音声データを、通信端末装置５００の音声出力部５７０に含まれるスピーカーから、聞くことができる。
【０３８１】
したがって、たとえば、映像表示装置６００から大きな音声を出力できないような状況であっても、ユーザは、手元の通信端末装置５００の音声出力部５７０付近に耳を当てるだけで、自分だけ、コンテンツの音声を聞くことができる。ここで、大きな音声を出力できないような状況は、たとえば、夜である。したがって、大きな音声を出力できない状況であっても、周囲に迷惑をかけることなく、コンテンツの音声を聞くことができるという効果を奏する。
【０３８２】
（コンテンツ表示中の処理の他の例４）
次に、映像表示装置６００の表示部６３０において、コンテンツを表示している場合の他の例の処理について説明する。以下においては、表示部６３０に表示されているコンテンツを表示コンテンツともいう。表示コンテンツは、放送信号に基づく画像（以下、ＴＶ画像ともいう）であるとする。なお、表示コンテンツは、図９の処理により登録した、サービスサーバ８００Ａが提供するサービスサイトからストリーミング配信されるコンテンツであってもよい。
【０３８３】
ここで、表示コンテンツには、当該表示コンテンツに関連するコンテンツ関連情報が含まれるとする。なお、表示コンテンツは、映画であるとする。コンテンツ関連情報は、映画の日本語の字幕情報であるとする。
【０３８４】
また、映像表示装置６００の記憶部６２０には、図１３の制御テーブルＭＤ２００が記憶されているとする。
【０３８５】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここでは、制御部６１０は、自装置（映像表示装置６００）の動作状態は、字幕情報を含む表示コンテンツを、表示部６３０が表示している状態であると判定する。
【０３８６】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０３８７】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。この処理により、送信される制御データは、以下の制御データＴＤ３００Ｆであるとする。
【０３８８】
図２９は、一例としての制御データＴＤ３００Ｆを示す図である。図２９を参照して、制御データＴＤ３００Ｆの各項目は、図１７の制御データＴＤ３００で説明したのと同様なので詳細な説明は繰り返さない。制御データＴＤ３００Ｆにおいて、「テロップ表示」に対応するパラメータが「字幕情報」である場合、字幕情報を表示させるためのボタンが通信端末装置５００の表示部５３０に表示される。
【０３８９】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ｆを受信したとして、ステップＳ４１２に進む。
【０３９０】
ステップＳ４１２では、前述したのと同様な処理が行なわれるので詳細な説明は繰り返さない。この処理により、制御データＴＤ３００Ｆが記憶されるとする。
【０３９１】
ステップＳ４１４では、前述したように、制御データ対応処理Ｍが行なわれる。制御データ対応処理Ｍでは、受信した制御データに対応した処理が行なわれる。
【０３９２】
ここで、受信した制御データは、制御データＴＤ３００Ｆであるとする。この場合、制御データ対応処理Ｍでは、制御部５１０が、音声出力処理Ｍ、振動処理Ｍ、発光処理Ｍおよびテロップ表示処理ＭＦを、同時に行なう。なお、音声出力処理Ｍ、振動処理Ｍ、発光処理Ｍおよびテロップ表示処理ＭＦは、同時に行なわれなくてもよい。
【０３９３】
音声出力処理Ｍ、振動処理Ｍおよび発光処理Ｍは、前述したのと同様なので詳細な説明は繰り返さない。
【０３９４】
テロップ表示処理ＭＦでは、制御部５１０が、ＶＤＰ５３２を利用して、以下のテロップ画像ＭＧ２１０Ｆを、現在表示部５３０に表示されている端末画像の前面に表示させた報知画像ＭＧ２００Ｆを、表示部５３０に表示させる。
【０３９５】
図３０は、一例としての報知画像ＭＧ２００Ｆを示す図である。図３０を参照して、報知画像ＭＧ２００Ｆには、端末画像の前面にテロップ画像ＭＧ２１０Ｆが配置される。
【０３９６】
テロップ画像ＭＧ２１０Ｆには、通信端末装置で字幕を表示するか否かを問合せる旨のメッセージが表示される。また、テロップ画像ＭＧ２１０Ｆには、ボタン画像ＭＢＧ２１６Ｆが配置される。ボタン画像ＭＢＧ２１６Ｆは、押下処理されることにより、字幕表示リモコン信号を、映像表示装置６００へ送信するためのボタン画像である。字幕表示リモコン信号は、映像表示装置６００に表示されているコンテンツに対応する字幕情報を、表示部５３０に表示させるためのリモコン信号である。
【０３９７】
次に、字幕情報を、表示部５３０に表示させるための処理について説明する。ここで、通信端末装置５００の表示部５３０には、図３０の報知画像ＭＧ２００Ｆが表示されているとする。
【０３９８】
再び、図１２を参照して、通信端末装置５００が行なう操作判定処理Ｍにおいて、ステップＳ１０では、前述したのと同様な処理が行なわれるので詳細な説明は繰り返さない。ここでは、図３０のボタン画像ＭＢＧ２１６Ｆを押下するための制御操作があったとして、ステップＳ１２に進む。
【０３９９】
ステップＳ１２では、制御部５１０が、制御信号としての字幕表示リモコン信号を、映像表示装置６００へ送信する。
【０４００】
映像表示装置６００が行なう制御信号対応処理Ｔにおいて、ステップＳ２０では、前述したのと同様な処理が行なわれるので詳細な説明は繰り返さない。ここでは、制御信号としての字幕表示リモコン信号を受信したとして、ステップＳ２２に進む。
【０４０１】
ステップＳ２２では、制御信号対応処理が行なわれる。ここでは、制御信号対応処理において、制御部６１０が、字幕情報を通信端末装置５００へ送信する。送信される字幕情報は、映像表示装置６００の表示部６３０に表示されているコンテンツに対応する字幕情報である。
【０４０２】
通信端末装置５００では、制御部５１０が字幕情報を受信する。そして、制御部５１０は、ＶＤＰ５３２を利用して、字幕情報を表示させた字幕情報表示画像を、表示部５３０に表示させる。なお、通信端末装置５００では、受信した字幕情報を、音声として出力する処理が行なわれてもよい。
【０４０３】
以上の処理が行なわれることにより、映像表示装置６００に表示されるコンテンツに対応する字幕を、通信端末装置５００のユーザは、手元で、参照することができる。したがって、ユーザの視力が悪く、ユーザが映像表示装置６００から離れた位置にいる場合でも、コンテンツに対応する字幕を容易に参照することができるという効果を奏する。
【０４０４】
（コンテンツ表示中の処理の他の例５）
次に、映像表示装置６００の表示部６３０において、２種類のコンテンツが表示されている場合の処理について説明する。
【０４０５】
図３１は、２種類のコンテンツが表示されている状態を示す図である。図３１を参照して、表示部６３０には、画像Ｇ４００が表示されているとする。画像Ｇ４００には、画像内の全体の領域を示す領域ＴＲ１と、領域ＴＲ１内に設けられた領域ＴＲ２とを含む。
【０４０６】
領域ＴＲ１に表示されるコンテンツをメインコンテンツという。また、領域ＴＲ２に表示されるコンテンツをサブコンテンツという。以下においては、領域ＴＲ２に表示される画像をサブ画像ともいう。
【０４０７】
メインコンテンツおよびサブコンテンツの各々は、放送信号に基づく画像（以下、ＴＶ画像ともいう）であるとする。ここで、映像表示装置６００では、メインコンテンツの音声が出力されているとする。なお、メインコンテンツおよびサブコンテンツの各々は、図９の処理により登録した、サービスサーバ８００Ａが提供するサービスサイトからストリーミング配信されるコンテンツであってもよい。
【０４０８】
また、映像表示装置６００の記憶部６２０には、図１３の制御テーブルＭＤ２００が記憶されているとする。
【０４０９】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここでは、制御部６１０は、自装置（映像表示装置６００）の動作状態は、メインコンテンツおよびサブコンテンツを、表示部６３０が表示している状態であると判定する。
【０４１０】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０４１１】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。この処理により、送信される制御データは、以下の制御データＴＤ３００Ｇであるとする。
【０４１２】
図３２は、一例としての制御データＴＤ３００Ｇを示す図である。図３２を参照して、制御データＴＤ３００Ｇの各項目は、図１７の制御データＴＤ３００で説明したのと同様なので詳細な説明は繰り返さない。制御データＴＤ３００Ｇにおいて、「テロップ表示」に対応するパラメータが「サブコンテンツ音声出力」である場合、サブコンテンツの音声を出力させるためのボタンが通信端末装置５００の表示部５３０に表示される。
【０４１３】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ｇを受信したとして、ステップＳ４１２に進む。
【０４１４】
ステップＳ４１２では、前述したのと同様な処理が行なわれるので詳細な説明は繰り返さない。この処理により、制御データＴＤ３００Ｇが記憶されるとする。
【０４１５】
ステップＳ４１４では、前述したように、制御データ対応処理Ｍが行なわれる。制御データ対応処理Ｍでは、受信した制御データに対応した処理が行なわれる。
【０４１６】
ここで、受信した制御データは、制御データＴＤ３００Ｇであるとする。この場合、制御データ対応処理Ｍでは、制御部５１０が、音声出力処理Ｍ、振動処理Ｍ、発光処理Ｍおよびテロップ表示処理ＭＧを、同時に行なう。なお、音声出力処理Ｍ、振動処理Ｍ、発光処理Ｍおよびテロップ表示処理ＭＧは、同時に行なわれなくてもよい。
【０４１７】
音声出力処理Ｍ、振動処理Ｍおよび発光処理Ｍは、前述したのと同様なので詳細な説明は繰り返さない。
【０４１８】
テロップ表示処理ＭＧでは、制御部５１０が、ＶＤＰ５３２を利用して、以下のテロップ画像ＭＧ２１０Ｇを、現在表示部５３０に表示されている端末画像の前面に表示させた報知画像ＭＧ２００Ｇを、表示部５３０に表示させる。
【０４１９】
図３３は、一例としての報知画像ＭＧ２００Ｇを示す図である。図３３を参照して、報知画像ＭＧ２００Ｇには、端末画像の前面にテロップ画像ＭＧ２１０Ｇが配置される。
【０４２０】
テロップ画像ＭＧ２１０Ｇには、サブコンテンツの音声を通信端末装置から出力するか否かを問合せる旨のメッセージが表示される。また、テロップ画像ＭＧ２１０Ｇには、ボタン画像ＭＢＧ２１６Ｇが配置される。
【０４２１】
ボタン画像ＭＢＧ２１６Ｇは、押下処理されることにより、サブコンテンツ音声出力信号を、映像表示装置６００へ送信するためのボタン画像である。サブコンテンツ音声出力信号は、映像表示装置６００に表示されているサブコンテンツの音声を、通信端末装置５００から出力させるためのリモコン信号である。
【０４２２】
次に、映像表示装置６００に表示されているサブコンテンツの音声を、通信端末装置５００から出力させるための処理について説明する。ここで、通信端末装置５００の表示部５３０には、図３３の報知画像ＭＧ２００Ｇが表示されているとする。
【０４２３】
再び、図１２を参照して、通信端末装置５００が行なう操作判定処理Ｍにおいて、ステップＳ１０では、前述したのと同様な処理が行なわれるので詳細な説明は繰り返さない。ここでは、図３３のボタン画像ＭＢＧ２１６Ｇを押下するための制御操作があったとして、ステップＳ１２に進む。
【０４２４】
ステップＳ１２では、制御部５１０が、制御信号としてのサブコンテンツ音声出力信号を、映像表示装置６００へ送信する。
【０４２５】
映像表示装置６００が行なう制御信号対応処理Ｔにおいて、ステップＳ２０では、前述したのと同様な処理が行なわれるので詳細な説明は繰り返さない。ここでは、制御信号としてのサブコンテンツ音声出力信号を受信したとして、ステップＳ２２に進む。
【０４２６】
ステップＳ２２では、制御信号対応処理が行なわれる。ここでは、制御信号対応処理において、制御部６１０は、映像表示装置６００の表示部６３０に表示されているサブコンテンツの音声データ（以下、サブコンテンツ音声データともいう）を、通信端末装置５００へ送信する。
【０４２７】
通信端末装置５００では、制御部５１０が、サブコンテンツ音声データを受信すると、受信したサブコンテンツ音声データを、音声出力部５７０へ送信する。音声出力部５７０は、サブコンテンツ音声データを受信すると、サブコンテンツ音声データに基づく音声を、音声出力部５７０に含まれるスピーカーから出力する。
【０４２８】
以上の処理が行なわれることにより、映像表示装置６００の表示部６３０において、２種類のコンテンツが表示されている場合、通信端末装置５００のユーザは、映像表示装置６００の表示部６３０に表示されているサブコンテンツの音声データを、通信端末装置５００の音声出力部５７０に含まれるスピーカーから、聞くことができる。
【０４２９】
したがって、ユーザは、表示部６３０において、メインコンテンツおよびサブコンテンツが表示されている場合、メインコンテンツおよびサブコンテンツの各々の音声を聞くことができるという効果を奏する。
【０４３０】
なお、本発明は、上記処理以外にも、１台の映像表示装置を２人のユーザ（通信端末装置）で利用している状態において、一方のユーザはメインコンテンツを利用し、他方のユーザはサブコンテンツを利用するような使い方にも適用可能である。
【０４３１】
なお、上記処理では、サブコンテンツの音声を通信端末装置５００から出力する処理を説明したが、メインコンテンツの音声を通信端末装置５００から出力してもよい。
【０４３２】
（コンテンツ表示中の処理の他の例６）
次に、映像表示装置６００の表示部６３０において、コンテンツを表示している場合の他の例の処理について説明する。以下においては、表示部６３０に表示されているコンテンツを表示コンテンツともいう。表示コンテンツは、放送信号に基づく画像（以下、ＴＶ画像ともいう）であるとする。なお、表示コンテンツは、図９の処理により登録した、サービスサーバ８００Ａが提供するサービスサイトからストリーミング配信されるコンテンツであってもよい。
【０４３３】
ここで、表示コンテンツには、当該表示コンテンツに関連するコンテンツ関連情報が含まれるとする。表示コンテンツは、たとえば、通信販売の番組であるとする。コンテンツ関連情報は、通信販売を利用するための電話番号であるとする。なお、コンテンツ関連情報は、電話番号に限定されることなく、メールアドレス、携帯端末用のＷｅｂサイトのＵＲＬ、ＱＲコード（登録商標）等であってもよい。
【０４３４】
以下においては、電話番号、メールアドレス、携帯電話用のＷｅｂサイトのＵＲＬ、ＱＲコード（登録商標）等のように、通信端末装置５００で直接利用可能なコンテンツ関連情報を、端末利用情報ともいう。したがって、この場合のコンテンツ関連情報としての電話番号は、端末利用情報である。
【０４３５】
また、映像表示装置６００の記憶部６２０には、図１３の制御テーブルＭＤ２００が記憶されているとする。
【０４３６】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここでは、制御部６１０は、自装置（映像表示装置６００）の動作状態は、端末利用情報（電話番号）を含む表示コンテンツを、表示部６３０が表示している状態であると判定する。
【０４３７】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０４３８】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。この処理により、送信される制御データは、以下の制御データＴＤ３００Ｈであるとする。
【０４３９】
図３４は、一例としての制御データＴＤ３００Ｈを示す図である。図３４を参照して、制御データＴＤ３００Ｈの各項目は、図１７の制御データＴＤ３００で説明したのと同様なので詳細な説明は繰り返さない。制御データＴＤ３００Ｈにおいて、「テロップ表示」に対応するパラメータが「端末利用情報」である場合、端末利用情報（たとえば、電場番号）を使用した処理を行なうためのボタンが通信端末装置５００の表示部５３０に表示される。
【０４４０】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ｈを受信したとして、ステップＳ４１２に進む。
【０４４１】
ステップＳ４１２では、前述したのと同様な処理が行なわれるので詳細な説明は繰り返さない。この処理により、制御データＴＤ３００Ｈが記憶されるとする。
【０４４２】
ステップＳ４１４では、前述したように、制御データ対応処理Ｍが行なわれる。制御データ対応処理Ｍでは、受信した制御データに対応した処理が行なわれる。
【０４４３】
ここで、受信した制御データは、制御データＴＤ３００Ｈであるとする。この場合、制御データ対応処理Ｍでは、制御部５１０が、音声出力処理Ｍ、振動処理Ｍ、発光処理Ｍおよびテロップ表示処理ＭＨを、同時に行なう。なお、音声出力処理Ｍ、振動処理Ｍ、発光処理Ｍおよびテロップ表示処理ＭＨは、同時に行なわれなくてもよい。
【０４４４】
音声出力処理Ｍ、振動処理Ｍおよび発光処理Ｍは、前述したのと同様なので詳細な説明は繰り返さない。
【０４４５】
テロップ表示処理ＭＨでは、制御部５１０が、ＶＤＰ５３２を利用して、以下のテロップ画像ＭＧ２１０Ｈを、現在表示部５３０に表示されている端末画像の前面に表示させた報知画像ＭＧ２００Ｈを、表示部５３０に表示させる。ここで、電話番号である端末利用情報は、たとえば、“０９０３３３１１１”であるとする。
【０４４６】
図３５は、一例としての報知画像ＭＧ２００Ｈを示す図である。図３５を参照して、報知画像ＭＧ２００Ｈには、端末画像の前面にテロップ画像ＭＧ２１０Ｈが配置される。
【０４４７】
テロップ画像ＭＧ２１０Ｈには、電話番号“０９０３３３１１１”に電話をかけるか否かを問合せる旨のメッセージが表示される。また、テロップ画像ＭＧ２１０Ｈには、ボタン画像ＭＢＧ２１６Ｈが配置される。ボタン画像ＭＢＧ２１６Ｈは、押下処理されることにより、電話番号“０９０３３３１１１”に電話をかけるためのボタン画像である。
【０４４８】
そして、図３５のボタン画像ＭＢＧ２１６Ｈを押下するための制御操作があった場合、制御部５１０は、電話番号“０９０３３３１１１”に電話をかけるための処理を行なう。
【０４４９】
なお、テロップ表示処理ＭＨにより、表示部５３０に表示されるテロップ画像ＭＧ２１０Ｈは、端末利用情報の内容に応じて、表示されるメッセージが変化する。端末利用情報が、たとえば、メールアドレスの場合、テロップ画像ＭＧ２１０Ｈに表示されるメッセージは、たとえば、「メールアドレス（aaa@bbb.co.jp）へ送信する電子メールのメッセージを作成しますか？」となる。
【０４５０】
以上の処理が行なわれることにより、映像表示装置６００の表示部６３０において、端末利用情報を含む表示コンテンツが表示されている場合、通信端末装置５００では、端末利用情報を利用した様々な処理（以下、端末利用情報処理ともいう）を行なうことが可能となる。
【０４５１】
ここで、端末利用情報が電話番号である場合、端末利用情報処理は電話をかける処理となる。また、端末利用情報がメールアドレスである場合、端末利用情報処理は、当該メールアドレスへ送信する電子メールのメッセージを作成する処理となる。また、端末利用情報が携帯端末用のＷｅｂサイトのＵＲＬである場合、端末利用情報処理は携帯端末用のＷｅｂサイトのＵＲＬにアクセスするための処理となる。また、端末利用情報がＱＲコード（登録商標）である場合、端末利用情報処理は、ＱＲコード（登録商標）に基づく情報を表示させるための処理となる。
【０４５２】
なお、コンテンツ関連情報が、たとえば、電話番号および「テレビ電話」という文字列である場合、映像表示装置６００は、前述したコンテンツ関連情報が電話番号である場合の処理と同様な処理を行なうことにより、通信端末装置５００に、たとえば、「テレビ電話を行ないますか」というメッセージを表示させるための処理を行なう。これにより、通信端末装置５００の撮像部５７８を利用したテレビ電話を行なうことが可能となる。
【０４５３】
また、コンテンツ関連情報が、たとえば、「課金」という文字列である場合、映像表示装置６００は、前述したコンテンツ関連情報が電話番号である場合の処理と同様な処理を行なうことにより、通信端末装置５００に、たとえば、「課金処理を行ないますか」というメッセージを表示させるための処理を行なう。これにより、通信端末装置５００において課金処理を行なうことが可能となる。
【０４５４】
したがって、端末利用情報が、映像表示装置６００で利用することができない情報であっても、通信端末装置５００が、自装置の有する本来の機能を、端末利用情報を使用することで活用することができる。すなわち、通信端末装置５００は、映像表示装置６００の代わりに端末利用情報を有効に活用した処理を行なうことができるという効果を奏する。
【０４５５】
（コンテンツ表示中の処理の他の例７）
次に、通信端末装置５００を映像表示装置６００のリモコンとして利用し、映像表示装置６００の表示部６３０において、文字の入力が可能なコンテンツ（以下、文字入力可能コンテンツともいう）が表示されている状態の処理について説明する。文字入力可能コンテンツは、たとえば、Ｗｅｂブラウザにより表示される検索サイトであるとする。検索サイトは、検索文字列を入力するためのテキストボックスを含む。
【０４５６】
ここで、リモコンモードの通信端末装置５００におけるインターフェース操作Ｍにより、検索サイトに含まれるテキストボックスにフォーカスがあたっており、当該テキストボックスに文字が入力可能な状態であるとする。
【０４５７】
また、映像表示装置６００の記憶部６２０には、図１３の制御テーブルＭＤ２００が記憶されているとする。
【０４５８】
再び、図１６を参照して、ステップＳ４４１では、前述したように、状態判定処理Ｔが行なわれる。状態判定処理Ｔでは、制御部６１０が、自装置（映像表示装置６００）の動作状態を判定する。ここでは、制御部６１０は、自装置（映像表示装置６００）の動作状態は、表示部６３０に表示されている検索サイトに含まれるテキストボックスに文字入力が可能な文字入力可能状態であると判定する。
【０４５９】
ステップＳ４４２では、前述したのと同様な処理が行なわれるので詳細な説明は繰り返さない。ここでは、制御テーブルＭＤ２００に記載される装置ＩＤ“０９０１１１０００”により特定（識別）される通信端末装置５００が通話中でないとする。この場合、ステップＳ４４２において、ＮＯと判定されて、ステップＳ４４３に進む。
【０４６０】
ステップＳ４４３では、前述したのと同様に、制御部６１０が、判定された動作状態に応じた制御データを、記憶部６２０に記憶されている制御テーブルに記載される装置ＩＤにより特定（識別）される通信端末装置５００へ送信する。この処理により、送信される制御データは、以下の制御データＴＤ３００Ｊであるとする。
【０４６１】
図３６は、一例としての制御データＴＤ３００Ｊを示す図である。図３６を参照して、制御データＴＤ３００Ｊの各項目は、図１７の制御データＴＤ３００で説明したのと同様なので詳細な説明は繰り返さない。制御データＴＤ３００Ｊにおいて、「テロップ表示」に対応するパラメータが「文字入力」である場合、通信端末装置５００により文字を入力するための処理を行なうためのボタンが通信端末装置５００の表示部５３０に表示される。
【０４６２】
再び、図１６を参照して、通信端末装置５００が行なう装置制御処理ＭのステップＳ４１１では、前述したのと同様な処理が行なわれるので詳細な説明は繰り返さない。ここでは、制御データＴＤ３００Ｊを受信したとして、ステップＳ４１２に進む。
【０４６３】
ステップＳ４１２では、前述したのと同様な処理が行なわれるので詳細な説明は繰り返さない。この処理により、制御データＴＤ３００Ｊが記憶されるとする。
【０４６４】
ステップＳ４１４では、前述したように、制御データ対応処理Ｍが行なわれる。制御データ対応処理Ｍでは、受信した制御データに対応した処理が行なわれる。
【０４６５】
ここで、受信した制御データは、制御データＴＤ３００Ｊであるとする。この場合、制御データ対応処理Ｍでは、制御部５１０が、音声出力処理Ｍ、振動処理Ｍ、発光処理Ｍおよびテロップ表示処理ＭＪを、同時に行なう。なお、音声出力処理Ｍ、振動処理Ｍ、発光処理Ｍおよびテロップ表示処理ＭＪは、同時に行なわれなくてもよい。
【０４６６】
音声出力処理Ｍ、振動処理Ｍおよび発光処理Ｍは、前述したのと同様なので詳細な説明は繰り返さない。
【０４６７】
テロップ表示処理ＭＪでは、制御部５１０が、ＶＤＰ５３２を利用して、以下のテロップ画像ＭＧ２１０Ｊを、現在表示部５３０に表示されている端末画像の前面に表示させた報知画像ＭＧ２００Ｊを、表示部５３０に表示させる。
【０４６８】
図３７は、一例としての報知画像ＭＧ２００Ｊを示す図である。図３７を参照して、報知画像ＭＧ２００Ｊには、端末画像の前面にテロップ画像ＭＧ２１０Ｊが配置される。
【０４６９】
テロップ画像ＭＧ２１０Ｊには、文字を入力するか否かを問合せる旨のメッセージが表示される。また、テロップ画像ＭＧ２１０Ｊには、ボタン画像ＭＢＧ２１６Ｊが配置される。ボタン画像ＭＢＧ２１６Ｊは、押下処理されることにより、通信端末装置５００の数字ボタン群５４６に含まれる数字ボタンの短押操作により文字を入力することを可能とするためのボタン画像である。
【０４７０】
次に、映像表示装置６００の表示部６３０に表示されている検索サイトに含まれるテキストボックスに文字を入力するための処理について説明する。ここで、通信端末装置５００の表示部５３０に、図３７の報知画像ＭＧ２００Ｊが表示されている状態で、ボタン画像ＭＢＧ２１６Ｊを押下処理するためのインターフェース操作Ｍがあったとする。この場合、制御部５１０は、通信端末装置５００を、数字ボタン群５４６に含まれる数字ボタンの短押操作により文字を入力するためのモード（以下、文字入力モードともいう）に設定する。
【０４７１】
再び、図１２を参照して、通信端末装置５００が行なう操作判定処理Ｍにおいて、ステップＳ１０では、前述したのと同様な処理が行なわれるので詳細な説明は繰り返さない。ここでは、文字入力モードに設定された通信端末装置５００において、数字ボタン群５４６に含まれる数字ボタンを押下するための制御操作があったとして、ステップＳ１２に進む。
【０４７２】
ステップＳ１２では、制御部５１０が、制御信号として、押下された数字ボタンに対応する文字（たとえば、「あ」）の文字信号を映像表示装置６００へ送信する。
【０４７３】
映像表示装置６００が行なう制御信号対応処理Ｔにおいて、ステップＳ２０では、前述したのと同様な処理が行なわれるので詳細な説明は繰り返さない。ここでは、制御信号としての文字信号を受信したとして、ステップＳ２２に進む。
【０４７４】
ステップＳ２２では、制御信号対応処理が行なわれる。ここでは、制御信号対応処理において、制御部６１０は、表示部６３０に表示されている検索サイトのテキストボックスに、受信した文字信号に対応する文字（たとえば、「あ」）を表示させるための処理を行なう。
【０４７５】
以上の処理が行なわれることにより、映像表示装置６００の表示部６３０に文字入力可能コンテンツが表示されている状態において、通信端末装置５００（携帯電話）の数字ボタン群５４６という、ユーザの慣れているインターフェース操作により、映像表示装置６００において文字を入力することが可能となる。
【０４７６】
したがって、映像表示装置６００における従来のソフトウエアキーボード等を利用した文字入力よりも、映像表示装置６００において、迅速に文字入力を行なうことができるという効果を奏する。
【０４７７】
なお、前述の文字入力可能コンテンツは、検索サイトに限定されることはない。文字入力可能コンテンツは、たとえば、ＷｅｂサイトのＵＲＬを入力可能なコンテンツであってもよい。
【０４７８】
以上説明したように、本実施の形態では、通信端末装置５００が通話中である場合、制御データは、通信端末装置５００へ送信されない。そのため、通信端末装置５００が通話中である場合、通信端末装置５００において、前述したような、制御データ対応処理Ｍが行なわれことはない。したがって、通信端末装置５００のユーザの通話を中断させてしまうことを防ぐことができるという効果を奏する。
【０４７９】
また、映像表示装置６００に表示されている表示コンテンツの関連情報がある場合、映像表示装置６００の表示部６３０に、関連情報がある旨の表示等を行なう必要がない。そのため、ユーザによる表示コンテンツの視聴を妨げることを防ぐことができるという効果を奏する。
【０４８０】
また、映像表示装置６００に表示されている表示コンテンツの関連情報がある場合、通信端末装置５００において、音、光等で報知することができる。したがって、通信端末装置５００のユーザといった特定のユーザに、表示コンテンツの関連情報があることを容易に知らせることができるという効果を奏する。
【０４８１】
また、映像表示装置６００に表示コンテンツを表示させた状態で、別の装置である通信端末装置５００で、表示コンテンツの関連情報（コンテンツ関連情報）を参照することができる。したがって、コンテンツの見易さを損ねることなく、通信端末装置５００において関連情報を参照することができるという効果を奏する。
【０４８２】
以上により、コンテンツの見易さを損ねることなく、通信端末装置５００において多種多様な処理を行なうことができるという効果を奏する。
【０４８３】
また、通信端末装置５００が、映像表示装置６００の近傍にない場合は、映像表示装置６００は、自動的に通常モードに移行することはない。すなわち、通信端末装置５００のユーザが、映像表示装置６００の近傍にない場合は、映像表示装置６００は、自動的に通常モードに移行することはない。したがって、ユーザが、タイマーで設定したことを忘れており、設定した時刻に映像表示装置６００の近傍にいなくても、映像表示装置６００は、自動的に通常モードに移行することはない。そのため、映像表示装置６００の無駄な電力の消費を防ぐことができるという効果を奏する。
【０４８４】
また、ユーザがザッピングを行なっている場合、ある特定のボタンを押下したときに、通信端末装置５００が振動することで、押下したボタンに基づくリモコン信号により、映像表示装置６００に表示される番組（コンテンツ）が、嗜好番組であることを認識することができる。
【０４８５】
すなわち、ザッピングを行なっている場合、嗜好番組を、迅速に探し出すことができるという効果を奏する。
【０４８６】
また、映像表示装置６００に表示されるコンテンツが、ユーザは、嗜好コンテンツであることを、迅速に、認識することができる。
【０４８７】
また、映像表示装置６００が消音状態に設定された場合、通信端末装置５００のユーザは、映像表示装置６００の表示部６３０に表示されているコンテンツの音声データを、通信端末装置５００の音声出力部５７０に含まれるスピーカーから、聞くことができる。
【０４８８】
したがって、たとえば、映像表示装置６００から大きな音声を出力できないような状況であっても、ユーザは、手元の通信端末装置５００の音声出力部５７０付近に耳を当てるだけで、自分だけ、コンテンツの音声を聞くことができる。ここで、大きな音声を出力できないような状況は、たとえば、夜である。したがって、大きな音声を出力できない状況であっても、周囲に迷惑をかけることなく、コンテンツの音声を聞くことができるという効果を奏する。
【０４８９】
また、映像表示装置６００に表示されるコンテンツに対応する字幕を、通信端末装置５００のユーザは、手元で、参照することができる。したがって、ユーザの視力が悪く、ユーザが映像表示装置６００から離れた位置にいる場合でも、コンテンツに対応する字幕を容易に参照することができるという効果を奏する。
【０４９０】
また、映像表示装置６００の表示部６３０において、２種類のコンテンツが表示されている場合、通信端末装置５００のユーザは、映像表示装置６００の表示部６３０に表示されているサブコンテンツの音声データを、通信端末装置５００の音声出力部５７０に含まれるスピーカーから、聞くことができる。
【０４９１】
したがって、ユーザは、表示部６３０において、メインコンテンツおよびサブコンテンツが表示されている場合、メインコンテンツおよびサブコンテンツの各々の音声を聞くことができるという効果を奏する。
【０４９２】
また、映像表示装置６００の表示部６３０において、端末利用情報を含む表示コンテンツが表示されている場合、通信端末装置５００では、端末利用情報を利用した様々な処理（以下、端末利用情報処理ともいう）を行なうことが可能となる。
【０４９３】
したがって、端末利用情報が、映像表示装置６００で利用することができない情報であっても、通信端末装置５００が、自装置の有する本来の機能を、端末利用情報を使用することで活用することができる。すなわち、通信端末装置５００は、映像表示装置６００の代わりに端末利用情報を有効に活用した処理を行なうことができるという効果を奏する。
【０４９４】
また、映像表示装置６００の表示部６３０に文字入力可能コンテンツが表示されている状態において、通信端末装置５００（携帯電話）の数字ボタン群５４６という、ユーザの慣れているインターフェース操作により、映像表示装置６００において文字を入力することが可能となる。
【０４９５】
したがって、映像表示装置６００における従来のソフトウエアキーボード等を利用した文字入力よりも、映像表示装置６００において、迅速に文字入力を行なうことができるという効果を奏する。
【０４９６】
以上説明したように、本発明は、通信端末装置５００を、映像表示装置６００を操作するためのリモコンとして利用する場合、通信端末装置５００に特別な機能を新たに設けることなく、通信端末装置５００の機能（たとえば、音発生、バイブ振動等）を有効に活用することができる。
【０４９７】
＜第１の実施の形態の変形例＞
次に、１台の映像表示装置６００に対し、２台の通信端末装置５００がデータ通信している状態の処理について説明する。ここで、２台の通信端末装置５００のうちの一方の通信端末装置５００を、通信端末装置Ａともいう。また、２台の通信端末装置５００のうちの他方の通信端末装置５００を、通信端末装置Ｂともいう。なお、１台の映像表示装置６００に対し、データ通信を行なう通信端末装置５００は、２台に限定されることなく、３台以上であってもよい。
【０４９８】
ここで、通信端末装置Ａは、前述した音発生モードに設定されているとする。また、通信端末装置Ａの記憶部５２０には、図１３の制御テーブルＭＤ２００が記憶されているとする。通信端末装置Ｂは、前述したサイレンモードに設定されているとする。この場合、通信端末装置Ｂの記憶部５２０には、以下の制御テーブルＭＤ２１０が記憶されているとする。また、通信端末装置Ｂの装置ＩＤは、“０９０２２２０００”であるとする。
【０４９９】
図３８は、一例としての制御テーブルＭＤ２１０を示す図である。図３８を参照して、制御テーブルＭＤ２１０は、図１３の制御テーブルＭＤ２００と比較して、音を発生させるための処理（制御番号ＣＴ１，ＣＴ２，ＣＴ６の各々に対応する処理）の状態が不許可となっている点が異なる。それ以外は、制御テーブルＭＤ２００と同様なので詳細な説明は繰り返さない。
【０５００】
次に、通信端末装置Ａおよび通信端末装置Ｂの各々が、映像表示装置６００に対し、前述した図１４の制御テーブル送信処理を行なったとする。この処理により、映像表示装置６００の記憶部６２０には、図１３の制御テーブルＭＤ２００と、図３８の制御テーブルＭＤ２１０とが記憶される。
【０５０１】
また、通話中でない通信端末装置Ａおよび通信端末装置Ｂの各々が、映像表示装置６００に対し、前述した図１５の処理を行なったとする。
【０５０２】
次に、映像表示装置６００が、自装置（映像表示装置６００）の動作状態に応じて、通信端末装置５００を制御するための処理（以下、装置制御処理ともいう）について説明する。以下においては、装置制御処理において、通信端末装置Ａおよび通信端末装置Ｂの各々が行なう処理を、装置制御処理Ｍともいう。また、装置制御処理において、映像表示装置６００が行なう処理を、装置制御処理ＴＮともいう。装置制御処理Ｍおよび装置制御処理ＴＮの各々は、他の処理とは独立して行なわれる処理である。
【０５０３】
ここで、映像表示装置６００の表示部６３０には、コンテンツが表示されているとする。以下においては、表示部６３０に表示されているコンテンツを表示コンテンツともいう。表示コンテンツは、放送信号に基づく画像（以下、ＴＶ画像ともいう）であるとする。なお、表示コンテンツは、図９の処理により登録した、サービスサーバ８００Ａが提供するサービスサイトからストリーミング配信されるコンテンツであってもよい。
【０５０４】
また、表示コンテンツには、当該表示コンテンツに関連する情報（以下、コンテンツ関連情報ともいう）が含まれるとする。なお、表示コンテンツは、たとえば、サッカーの試合の番組であるとする。この場合、コンテンツ関連情報は、たとえば、サッカーの試合の出場選手のプロフィールであるとする。なお、コンテンツ関連情報は、表示コンテンツの表示中に、サービスサーバ８００Ａから映像表示装置６００へ配信される情報（プッシュ情報）であってもよい。
【０５０５】
図３９は、装置制御処理Ｍおよび装置制御処理ＴＮのフローチャートである。装置制御処理Ｍおよび装置制御処理ＴＮの各々において、図１６と同じステップ番号の処理は、図１６の処理と同様な処理が行なわれるので詳細な説明は繰り返さない。
【０５０６】
ステップＳ４４１では、第１の実施の形態と同様に、状態判定処理Ｔが行なわれるので詳細な説明は繰り返さない。この処理により、制御部６１０は、自装置（映像表示装置６００）の動作状態は、コンテンツ関連情報を含む表示コンテンツを、表示部６３０が表示している状態であると判定する。そして、ステップＳ４４２に進む。
【０５０７】
ステップＳ４４２では、第１の実施の形態と同様な処理が行なわれるので詳細な説明は繰り返さない。ここでは、制御テーブルＭＤ２００に記載される装置ＩＤ“０９０１１１０００”により特定（識別）される通信端末装置Ａが通話中でないとする。また制御テーブルＭＤ２１０に記載される装置ＩＤ“０９０２２２０００”により特定（識別）される通信端末装置Ｂが通話中でないとする。この場合、ステップＳ４４２において、ＮＯと判定されて、ステップＳ４４３Ａに進む。
【０５０８】
ステップＳ４４３Ａでは、制御データ送信処理Ａが行なわれる。制御データ送信処理Ａでは、制御部６１０が、判定された動作状態に応じた制御データを、記憶部６２０に記憶されている制御テーブルに記載される装置ＩＤにより特定（識別）される通信端末装置へ送信する。また、送信される制御データは、送信先の通信端末装置に対応する制御テーブルに基づいたものとなる。
【０５０９】
ここで、映像表示装置６００の記憶部６２０には、図１３の制御テーブルＭＤ２００と、図３８の制御テーブルＭＤ２１０とが記憶されているとする。
【０５１０】
制御データ送信処理Ａでは、まず、制御部６１０が、制御テーブルＭＤ２００に基づいた制御データを、制御テーブルＭＤ２００に記載される装置ＩＤにより特定（識別）される通信端末装置Ａへ送信する。通信端末装置Ａへ送信される制御データは、たとえば、図１９の制御データＴＤ３００Ａであるとする。すなわち、通信端末装置Ａへ送信される制御データは、対応する制御テーブルＭＤ２００において、「状態」が許可となっている処理が使用される。
【０５１１】
そして、制御部６１０は、制御テーブルＭＤ２１０に基づいた制御データを、制御テーブルＭＤ２１０に記載される装置ＩＤにより特定（識別）される通信端末装置Ｂへ送信する。通信端末装置Ｂへ送信される制御データは、以下の制御データＴＤ３００Ｋであるとする。そして、この装置制御処理ＴＮは終了する。
【０５１２】
図４０は、一例としての制御データＴＤ３００Ｋを示す図である。図４０を参照して、制御データＴＤ３００Ｋの各項目は、図１７の制御データＴＤ３００で説明したのと同様なので詳細な説明は繰り返さない。制御データＴＤ３００Ｋにおいて、「テロップ表示」に対応するパラメータが「関連情報」である場合、コンテンツ関連情報を表示させるためのボタンが通信端末装置Ｂの表示部５３０に表示される。
【０５１３】
すなわち、通信端末装置Ｂへ送信される制御データＴＤ３００Ｋは、対応する制御テーブルＭＤ２１０において、「状態」が許可となっている処理（たとえば、制御番号ＣＴ３に対応する処理）が使用されるデータとなる。
【０５１４】
したがって、制御データ送信処理Ａにおいて、送信される制御データは、送信先の装置の状態に応じたデータとなる。
【０５１５】
再び、図３９を参照して、まず、通信端末装置Ａが行なう装置制御処理Ｍの処理について説明する。
【０５１６】
ステップＳ４１１では、第１の実施の形態で説明した処理と同様な処理が行なわれるので詳細な説明は繰り返さない。ここでは、制御データＴＤ３００Ａを受信したとして、ステップＳ４１２に進む。
【０５１７】
ステップＳ４１２では、第１の実施の形態で説明した処理と同様な処理が行なわれるので詳細な説明は繰り返さない。この処理により、制御データＴＤ３００Ａが記憶されるとする。
【０５１８】
ステップＳ４１４では、第１の実施の形態で説明したように、制御データ対応処理Ｍが行なわれる。制御データ対応処理Ｍでは、受信した制御データに対応した処理が行なわれる。
【０５１９】
ここで、受信した制御データは、制御データＴＤ３００Ａであるとする。この場合、制御データ対応処理Ｍでは、制御部５１０が、音声出力処理Ｍ、発光処理Ｍおよびテロップ表示処理ＭＡを、同時に行なう。なお、音声出力処理Ｍ、発光処理Ｍおよびテロップ表示処理ＭＡは、同時に行なわれなくてもよい。
【０５２０】
音声出力処理Ｍ、発光処理Ｍおよびテロップ表示処理ＭＡは、第１の実施の形態で説明したのと同様なので詳細な説明は繰り返さない。
【０５２１】
次に、通信端末装置Ｂが行なう装置制御処理Ｍの処理について説明する。
ステップＳ４１１では、第１の実施の形態で説明した処理と同様な処理が行なわれるので詳細な説明は繰り返さない。ここでは、制御データＴＤ３００Ｋを受信したとして、ステップＳ４１２に進む。
【０５２２】
ステップＳ４１２では、第１の実施の形態で説明した処理と同様な処理が行なわれるので詳細な説明は繰り返さない。この処理により、制御データＴＤ３００Ｋが記憶されるとする。
【０５２３】
ステップＳ４１４では、第１の実施の形態で説明したように、制御データ対応処理Ｍが行なわれる。制御データ対応処理Ｍでは、受信した制御データに対応した処理が行なわれる。
【０５２４】
ここで、受信した制御データは、制御データＴＤ３００Ｋであるとする。この場合、制御データ対応処理Ｍでは、制御部５１０が、振動処理Ｍ、発光処理Ｍおよびテロップ表示処理ＭＡを、同時に行なう。なお、振動処理Ｍ、発光処理Ｍおよびテロップ表示処理ＭＡは、同時に行なわれなくてもよい。
【０５２５】
振動処理Ｍ、発光処理Ｍおよびテロップ表示処理ＭＡは、第１の実施の形態で説明したのと同様なので詳細な説明は繰り返さない。
【０５２６】
以上説明したように、映像表示装置６００は、通信端末装置Ａおよび通信端末装置Ｂの状態に応じた処理を、各装置で実行させることができるという効果を奏する。
【０５２７】
なお、本実施の形態の変形例では、第１の実施の形態で説明した映像表示装置６００の複数種類の状態（たとえば、ザッピング状態、消音状態等）にそれぞれ応じた複数の処理も、第１の実施の形態と同様に適用可能である。
【０５２８】
したがって、本実施の形態の変形例においても、第１の実施の形態において奏する効果を得ることができる。
（機能ブロック図）
図４１は、本発明における制御部５１０および制御部６１０の機能ブロック図である。図４１を参照して、制御部５１０は、処理実行部５１１と、制御部５１３と、第１送信部５１５と、第２受信部５１７とを含む。制御部６１０は、第１受信部６１１と、状態判定部６１３と、第２送信部６１５とを含む。
【０５２９】
処理実行部５１１は、制御に応じて、複数の処理の少なくとも１つを行なう。制御部５１３は、処理実行部５１１を制御する。第１送信部５１５は、複数の処理をそれぞれ特定するための複数の処理特定情報を含む制御テーブルを映像表示装置６００へ送信する。
【０５３０】
第１受信部６１１は、制御テーブルを受信する。表示部６３０は、コンテンツを表示する。状態判定部６１３は、自装置（映像表示装置６００）の動作状態を判定する。第２送信部６１５は、状態判定部６１３により判定される動作状態が所定状態である場合、受信した制御テーブルに含まれる複数の処理特定情報のうちの少なくとも１つの処理特定情報に基づく制御情報を、通信端末装置５００へ送信する。
【０５３１】
第２受信部５１７は、第２送信部６１５により送信された制御情報を受信する。制御部５１３は、受信した制御情報に基づく処理を処理実行部５１１に実行させる制御を行なう。
【０５３２】
なお、制御部５１０に含まれる、処理実行部５１１、制御部５１３、第１送信部５１５および第２受信部５１７の全てまたは一部は、ハードウエアで構成されてもよい。また、制御部６１０に含まれる、第１受信部６１１、状態判定部６１３および第２送信部６１５の全てまたは一部は、ハードウエアで構成されてもよい。
【０５３３】
（発明の展開）
なお、本発明では、第１の実施の形態および第１の実施の形態の変形例で説明した、通信端末装置５００が行なう処理と、映像表示装置６００が行なう処理とが、入れ替わってもよい。
【０５３４】
すなわち、通信端末装置５００において、プッシュ情報等の関連情報を含むコンテンツを表示している場合に、関連情報を参照することができる旨を、映像表示装置６００において、音、光、画像等で報知してもよい。また、表示部５３０に画像が表示されていない待機モードの通信端末装置５００において情報が配信された場合、映像表示装置６００において、情報が配信された旨を、音、光、画像等で報知してもよい。また、待機モードの通信端末装置５００が電子メールを受信した場合、映像表示装置６００において、電子メールを受信した旨を、音、光、画像等で報知してもよい。
【０５３５】
また、通信端末装置５００で処理できないデータ（以下、非サポートデータともいう）を、通信端末装置５００が受信した場合、非サポートデータを、映像表示装置６００において処理してもよい。すなわち、映像表示装置６００が、通信端末装置５００の代わりに非サポートデータを有効に活用した処理をおこなってもよい。
【０５３６】
非サポートデータは、たとえば、表示部５３０の解像度では１度に表示できない大きなサイズの画像のデータである。また、非サポートデータは、たとえば、Ｈ．２６４形式の動画像のデータである。
【０５３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０５３８】
【図１】本実施の形態におけるネットワークシステムの構成を示す図である。
【図２】通信端末装置の外観を正面から示した図である。
【図３】通信端末装置の外観を背面から示した図である。
【図４】通信端末装置の内部構成を示したブロック図である。
【図５】映像表示装置の内部構成を示したブロック図である。
【図６】サービスサーバの内部構成を示したブロック図である。
【図７】一例としてのリモコン画像を示す図である。
【図８】一例としてのＷｅｂブラウザ画像を示す図である。
【図９】登録処理のフローチャートである。
【図１０】一例としてのユーザデータを示す図である。
【図１１】一例としてユーザ識別情報登録テーブルを示す図である。
【図１２】操作判定処理Ｍおよび制御信号対応処理Ｔのフローチャートである。
【図１３】一例としての制御テーブルを示す図である。
【図１４】制御テーブル送信処理のフローチャートである。
【図１５】通話中処理Ｍおよび通話中処理Ｔのフローチャートである。
【図１６】装置制御処理Ｍおよび装置制御処理Ｔのフローチャートである。
【図１７】一例としての制御データを示す図である。
【図１８】一例としての報知画像を示す図である。
【図１９】一例としての制御データを示す図である。
【図２０】一例としての報知画像を示す図である。
【図２１】一例としての制御データを示す図である。
【図２２】一例としての報知画像を示す図である。
【図２３】一例としてのＥＰＧデータを示す図である。
【図２４】一例としての制御データを示す図である。
【図２５】一例としての制御データを示す図である。
【図２６】一例としての報知画像を示す図である。
【図２７】一例としての制御データを示す図である。
【図２８】一例としての報知画像を示す図である。
【図２９】一例としての制御データを示す図である。
【図３０】一例としての報知画像を示す図である。
【図３１】２種類のコンテンツが表示されている状態を示す図である。
【図３２】一例としての制御データを示す図である。
【図３３】一例としての報知画像を示す図である。
【図３４】一例としての制御データを示す図である。
【図３５】一例としての報知画像を示す図である。
【図３６】一例としての制御データを示す図である。
【図３７】一例としての報知画像を示す図である。
【図３８】一例としての制御テーブルＭＤ２１０を示す図である。
【図３９】装置制御処理Ｍおよび装置制御処理ＴＮのフローチャートである。
【図４０】一例としての制御データＴＤ３００Ｋを示す図である。
【図４１】本発明における、異なる２つの制御部の機能ブロック図である。
【符号の説明】
【０５３９】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008177948.tif 000003
【図２】
2008177948.tif 000004
【図３】
2008177948.tif 000005
【図４】
2008177948.tif 000006
【図５】
2008177948.tif 000007
【図６】
2008177948.tif 000008
【図７】
2008177948.tif 000009
【図８】
2008177948.tif 000010
【図９】
2008177948.tif 000011
【図１０】
2008177948.tif 000012
【図１１】
2008177948.tif 000013
【図１２】
2008177948.tif 000014
【図１３】
2008177948.tif 000015
【図１４】
2008177948.tif 000016
【図１５】
2008177948.tif 000017
【図１６】
2008177948.tif 000018
【図１７】
2008177948.tif 000019
【図１８】
2008177948.tif 000020
【図１９】
2008177948.tif 000021
【図２０】
2008177948.tif 000022
【図２１】
2008177948.tif 000023
【図２２】
2008177948.tif 000024
【図２３】
2008177948.tif 000025
【図２４】
2008177948.tif 000026
【図２５】
2008177948.tif 000027
【図２６】
2008177948.tif 000028
【図２７】
2008177948.tif 000029
【図２８】
2008177948.tif 000030
【図２９】
2008177948.tif 000031
【図３０】
2008177948.tif 000032
【図３１】
2008177948.tif 000033
【図３２】
2008177948.tif 000034
【図３３】
2008177948.tif 000035
【図３４】
2008177948.tif 000036
【図３５】
2008177948.tif 000037
【図３６】
2008177948.tif 000038
【図３７】
2008177948.tif 000039
【図３８】
2008177948.tif 000040
【図３９】
2008177948.tif 000041
【図４０】
2008177948.tif 000042
【図４１】
2008177948.tif 000043